(57)【要約】  本発明の一態様によれば、マダラメイガ成虫の捕獲方法は、マダラメイガ亜科に属する蛾の成虫である屋内性のマダラメイガ成虫の捕獲方法であって、所定の光量子束密度で所定の時間以上、誘引光を射出し、前記誘引光の射出端の高さより下側で前記所定の光量子束密度より小さい光量子束密度を有する領域内に前記マダラメイガ成虫を前記射出端の近傍にまで案内する案内経路を形成し、前記案内経路内で前記誘引光に誘引された前記マダラメイガ成虫を捕獲する。
2019130698.tif 000002
【特許請求の範囲】
【請求項１】
マダラメイガ亜科に属する蛾の成虫である屋内性のマダラメイガ成虫の捕獲方法であって、
所定の光量子束密度で所定の時間以上、誘引光を射出し、
前記誘引光の射出端の高さより下側で前記所定の光量子束密度より小さい光量子束密度を有する領域内に前記マダラメイガ成虫を前記射出端の近傍にまで案内する案内経路を形成し、
前記案内経路内で前記誘引光に誘引された前記マダラメイガ成虫を捕獲する、
マダラメイガ成虫の捕獲方法。
【請求項２】
前記案内経路は、前記射出端の高さと床面との間の領域内のうち、
前記誘引光の光量子束密度の値が前記マダラメイガ成虫に行動抑制が生じる光量子束密度の値未満である非行動抑制領域内、かつ、前記誘引光に誘引されたマダラメイガ成虫が前記射出端の近傍へ移動する移動領域内
にある、請求項１に記載のマダラメイガ成虫の捕獲方法。
【請求項３】
前記誘引光の射出は、前記誘引光の光量子束密度を低下させる減光部材を前記射出端の下側に配置して行われ、
前記減光部材は、前記所定の光量子束密度を前記案内経路内において前記マダラメイガ成虫に行動抑制が生じる光量子束密度の値未満にする、請求項１又は請求項２に記載のマダラメイガ成虫の捕獲方法。
【請求項４】
前記減光部材は、略水平方向に延びる、請求項３に記載のマダラメイガ成虫の捕獲方法。
【請求項５】
前記誘引光の射出は、指向性を有する前記誘引光を射出することである、請求項１又は請求項２に記載のマダラメイガ成虫の捕獲方法。
【請求項６】
前記指向性を有する前記誘引光の射出は、光源と対向する位置に孔部又はスリットを含む絞りを配置して行われる、請求項５に記載のマダラメイガ成虫の捕獲方法。
【請求項７】
前記指向性を有する前記誘引光の射出は、略水平方向に関して放射状に行われる、請求項５又は請求項６に記載のマダラメイガ成虫の捕獲方法。
【請求項８】
前記案内経路は、前記射出端が配置されている面から床面と略平行に１５ｃｍ以内の領域と、床面からの高さが３０ｃｍ以内の領域とを含む、請求項１乃至請求項７のうち何れか１項に記載のマダラメイガ成虫の捕獲方法。
【請求項９】
前記誘引光の射出は、略水平方向に向けて行われ、
前記案内経路内における前記誘引光の光量子束密度ｄ［ｐｈｏｔｏｎｓ／ｍ２／ｓ］は、
０＜ｄ＜２×１０１４
の関係を満たす値である、
請求項１乃至請求項８のうち何れか１項に記載のマダラメイガ成虫の捕獲方法。
【請求項１０】
前記誘引光の射出は、略水平方向に向けて行われ、
前記案内経路内における前記誘引光の光量子束密度ｄ［ｐｈｏｔｏｎｓ／ｍ２／ｓ］は、
０＜ｄ≦０．１×１０１４
の関係を満たす値である、
請求項１乃至請求項８のうち何れか１項に記載のマダラメイガ成虫の捕獲方法。
【請求項１１】
前記捕獲は、前記案内経路内の前記射出端の近傍に捕獲部材を配置することにより行われる、請求項１乃至請求項１０のうち何れか１項に記載のマダラメイガ成虫の捕獲方法。
【請求項１２】
前記捕獲は、前記案内経路内の床面上に捕獲部材を配置することにより行われる、請求項１乃至請求項１１のうち何れか１項に記載のマダラメイガ成虫の捕獲方法。
【請求項１３】
マダラメイガ成虫用の誘引物質を用いて前記マダラメイガ成虫を前記射出端の近傍にまで誘引することをさらに含む、請求項１乃至請求項１２のうち何れか１項に記載のマダラメイガ成虫の捕獲方法。
【請求項１４】
前記マダラメイガ成虫は、スジマダラメイガの成虫であり、
前記案内経路は、前記射出端が配置されている面から床面と略平行に１５ｃｍ以内の領域と、前記床面からの高さが５０ｃｍ以内の領域とを含み、
前記捕獲は、前記案内経路内の前記床面から５０ｃｍ以下の高さに捕獲部材を配置することにより行われる、
請求項１乃至請求項１３のうち何れか１項に記載のマダラメイガ成虫の捕獲方法。
【請求項１５】
前記マダラメイガ成虫は、スジコナマダラメイガの成虫であり、
前記案内経路は、前記射出端が配置されている面から床面と略平行に１５ｃｍ以内の領域と、前記床面からの高さが３０ｃｍ以内の領域と、前記床面から５０ｃｍ以上８０ｃｍ以下の高さの領域とを含み、
前記捕獲は、前記案内経路内の前記床面から３０ｃｍ以下の高さ又は前記案内経路内の前記床面から５０ｃｍ以上８０ｃｍ以下の高さに捕獲部材を配置することにより行われる、
請求項１乃至請求項１３のうち何れか１項に記載のマダラメイガ成虫の捕獲方法。
【請求項１６】
チャマダラメイガ成虫の捕獲方法であって、
所定の光量子束密度で所定の時間以上、誘引光を射出し、
前記誘引光の射出端の高さより下側で前記所定の光量子束密度より小さい光量子束密度を有する領域内に前記チャマダラメイガ成虫を前記射出端の近傍にまで案内する案内経路を形成し、
前記案内経路内で前記誘引光に誘引された前記チャマダラメイガ成虫を捕獲する、
チャマダラメイガ成虫の捕獲方法。
【請求項１７】
所定の光量子束密度で誘引光を射出し、前記誘引光の射出によって、前記誘引光の射出端の高さより下側で前記所定の光量子束密度より小さい光量子束密度を有する領域内にマダラメイガ亜科に属する蛾の成虫である屋内性のマダラメイガ成虫を前記射出端の近傍にまで案内する案内経路を形成する、マダラメイガ成虫を誘引するための光源装置。
【請求項１８】
前記案内経路は、前記射出端の高さと床面との間の領域内のうち、
前記誘引光の光量子束密度の値が前記マダラメイガ成虫に行動抑制が生じる光量子束密度の値未満である非行動抑制領域内、かつ、前記誘引光に誘引されたマダラメイガ成虫が前記射出端の近傍へ移動する移動領域内
にある、請求項１７に記載のマダラメイガ成虫を誘引するための光源装置。
【請求項１９】
前記射出端の下側に配置され、前記所定の光量子束密度を前記案内経路内において前記マダラメイガ成虫に行動抑制が生じる光量子束密度の値未満にする減光部材を備える、請求項１７又は請求項１８に記載のマダラメイガ成虫を誘引するための光源装置。
【請求項２０】
前記誘引光は指向性を有する、請求項１７又は請求項１８に記載のマダラメイガ成虫を誘引するための光源装置。
【請求項２１】
前記指向性を有する前記誘引光は、略水平方向に関して放射状に射出される、請求項２０に記載のマダラメイガ成虫を誘引するための光源装置。
【請求項２２】
前記誘引光を射出する少なくとも１つの発光ダイオードを備える、請求項２０又は請求項２１に記載のマダラメイガ成虫を誘引するための光源装置。
【請求項２３】
光源と、前記光源から入射した光線を前記誘引光として射出する光学素子とを備える、請求項２０乃至請求項２２のうち何れか１項に記載のマダラメイガ成虫を誘引するための光源装置。
【請求項２４】
前記光学素子は、前記光源と対向する位置に配置された孔部又はスリットを含む絞りである、請求項２３に記載のマダラメイガ成虫を誘引するための光源装置。
【請求項２５】
請求項１７乃至請求項２４のうち何れか１項に記載の前記光源装置と、
前記案内経路内に配置され、前記誘引光で誘引された前記マダラメイガ成虫を捕獲可能な捕獲部と、
を備える、マダラメイガ成虫の捕獲器。
【請求項２６】
前記捕獲部は、前記案内経路内の前記射出端の近傍に配置されている、請求項２５に記載のマダラメイガ成虫の捕獲器。
【請求項２７】
前記捕獲部は、前記案内経路内の床面上に配置されている、請求項２５又は請求項２６に記載のマダラメイガ成虫の捕獲器。
【請求項２８】
マダラメイガ成虫用の誘引物質を前記射出端の近傍に拡散可能に構成された薬剤収容部をさらに備える、請求項２５乃至請求項２７のうち何れか１項に記載のマダラメイガ成虫の捕獲器。
【発明の詳細な説明】
【技術分野】
【０００１】
本発明は、屋内性のマダラメイガ亜科に属する蛾の成虫の捕獲方法、光源装置及び捕獲器に関する。
【背景技術】
【０００２】
屋内性のマダラメイガ亜科に属する昆虫（蛾、ガ）は、マダラメイガと総称される。マダラメイガは、チャマダラメイガ、ノシメマダラメイガ、スジマダラメイガ及びスジコナマダラメイガを含む。マダラメイガは、世界的に広く分布しており、また、食品・穀類等の貯穀害虫として知られている。屋内性マダラメイガ成虫は、食品工場や倉庫、一般家庭内で発生する。このため、屋内性マダラメイガ成虫の防除においては、殺虫剤の使用が制限され、非化学的防除手段による解決が望まれている。非化学的防除手段の一つとして、多くの害虫に対しては光源を備えた捕獲器（ライトトラップ）が広く普及している。【０００３】
このような中、マダラメイガ成虫については、実験室内においては誘引光への誘引性が解明されており（例えば特許文献１及び非特許文献１）、ライトトラップへの活用が強く要望されている。一方で、例えば非特許文献２では、倉庫等の実用空間においてはライトトラップの捕虫効果は著しく低く、実質的に捕獲できないことが開示されている。
【先行技術文献】
【特許文献】
【０００４】
【特許文献１】国際公開第２００８／０６７６７８号
【非特許文献】
【０００５】
【非特許文献１】Thomas Cowan and Gerhard Gries, Ultraviolet and violet light: attractive orientation cues for the Indian meal moth, Plodia interpunctella, Entomologia Experimentalis et Applicata, 131(2):148-158 (2009).
【非特許文献２】平尾素一, 羽原政明, 桜井仁, 各種トラップによる貯蔵食品害虫捕獲反応の比較, ペストロジー学会誌, 11(1):24-28(1996).
【発明の概要】
【発明が解決しようとする課題】
【０００６】
本発明は、屋内性のマダラメイガ亜科に属する蛾の成虫を、誘引光で誘引して捕獲できる捕獲方法、誘引できる光源装置及び誘引光で誘引して捕獲できる捕獲器を提供することを目的とする。
【課題を解決するための手段】
【０００７】
本発明の一態様によれば、マダラメイガ成虫の捕獲方法は、マダラメイガ亜科に属する蛾の成虫である屋内性のマダラメイガ成虫の捕獲方法であって、所定の光量子束密度で所定の時間以上、誘引光を射出し、前記誘引光の射出端の高さより下側で前記所定の光量子束密度より小さい光量子束密度を有する領域内に前記マダラメイガ成虫を前記射出端の近傍にまで案内する案内経路を形成し、前記案内経路内で前記誘引光に誘引された前記マダラメイガ成虫を捕獲する。【０００８】
本発明の一態様によれば、チャマダラメイガ成虫の捕獲方法は、所定の光量子束密度で所定の時間以上、誘引光を射出し、前記誘引光の射出端の高さより下側で前記所定の光量子束密度より小さい光量子束密度を有する領域内に前記チャマダラメイガ成虫を前記射出端の近傍にまで案内する案内経路を形成し、前記案内経路内で前記誘引光に誘引された前記チャマダラメイガ成虫を捕獲する。【０００９】
本発明の一態様によれば、マダラメイガ成虫を誘引するための光源装置は、所定の光量子束密度で誘引光を射出し、前記誘引光の射出によって、前記誘引光の射出端の高さより下側で前記所定の光量子束密度より小さい光量子束密度を有する領域内にマダラメイガ亜科に属する蛾の成虫である屋内性のマダラメイガ成虫を前記射出端の近傍にまで案内する案内経路を形成する。【００１０】
本発明の一態様によれば、マダラメイガ成虫の捕獲器は、前記光源装置と、前記案内経路内に配置され、前記誘引光で誘引された前記マダラメイガ成虫を捕獲可能な捕獲部と、を備える。
【発明の効果】
【００１１】
本発明によれば、屋内性のマダラメイガ亜科に属する蛾の成虫を、誘引光で誘引して捕獲できる捕獲方法、誘引できる光源装置及び誘引光で誘引して捕獲できる捕獲器を提供できる。
【図面の簡単な説明】
【００１２】
【図１】図１は、第１の実施形態に係る捕獲器の構成例の概略について正面図（左）と側面図（右）とを並べて示す模式図である。
【図２】図２は、第１の実施形態に係る誘引光の射出特性について説明するための図である。
【図３】図３は、第２の実施形態に係る捕獲器の構成例の概略について正面図（左）と側面図（右）とを並べて示す模式図である。
【図４】図４は、第１の変形例に係る光源部の構成例の概略を示す模式図である。
【図５】図５は、第３の実施形態に係る捕獲器の構成例の概略について正面図（左）と側面図（右）とを並べて示す模式図である。
【図６】図６は、試験例１に係る試験領域の構成の概略を示す模式図である。
【図７】図７は、試験例１に係る捕獲器の構成の概略を示す模式図である。
【図８】図８は、試験例１の比較例に係る捕獲器の構成の概略を示す模式図である。
【図９】図９は、誘引光の光量子束密度とチャマダラメイガの捕虫数との関係を示す図である。
【図１０】図１０は、誘引光の光量子束密度とノシメマダラメイガの捕虫数との関係を示す図である。
【図１１】図１１は、試験例２に係る試験領域の構成の概略を示す模式図である。
【図１２】図１２は、誘引光の光量子束密度とチャマダラメイガの活動停止割合との関係を示す図である。
【図１３】図１３は、試験例３に係る試験領域（倉庫）の構成を上方から見た平面図である。
【図１４】図１４は、試験例３に係る捕獲器の構成の概略について正面図（上）と側面図（下）とを並べて示す模式図である。
【図１５】図１５は、試験例３に係る捕虫分布を示す図である。
【図１６】図１６は、試験例３の比較例に係る捕虫分布を示す図である。
【図１７】図１７は、試験例４−１について説明するための図である。
【図１８】図１８は、試験例４−１に係る捕獲器の備える第４の光源の射出する誘引光の分光分布を示す図である。
【図１９】図１９は、試験例４−１に係るチャマダラメイガの捕虫割合を示す図である。
【図２０】図２０は、試験例４−２に係るノシメマダラメイガの捕虫割合を示す図である。
【図２１】図２１は、試験例４−２に係るスジマダラメイガの捕虫割合を示す図である。
【図２２】図２２は、試験例４−２に係るスジコナマダラメイガの捕虫割合を示す図である。
【図２３】図２３は、試験例５−１に係る捕獲器の射出する誘引光の分光分布と、試験例５−１の比較例に係る捕獲器の射出する誘引光の分光分布とを示す図である。
【図２４】図２４は、試験例５−１に係る捕獲器の射出する誘引光の指向特性と、試験例５−１の比較例に係る捕獲器の射出する誘引光の指向特性とを示す図である。
【図２５】図２５は、試験例５−１の比較例に係る捕獲器の構成の概略について正面図（左）と側面図（右）とを並べて示す模式図である。
【図２６】図２６は、試験例５−１の比較例に係る捕獲器の射出する誘引光の分光分布を示す図である。
【図２７】図２７は、試験例５−１に係る捕獲器及び試験例５−１の比較例に係る捕獲器によるチャマダラメイガの捕虫割合を示す図である。
【図２８】図２８は、試験例５−１に係る捕獲器及び試験例５−１の比較例に係る捕獲器によるノシメマダラメイガの捕虫割合を示す図である。
【図２９】図２９は、試験例５−２に係る試験領域（倉庫）の構成を上方から見た平面図である。
【図３０】図３０は、試験例５−２に係る捕獲器及び試験例５−２の比較例に係る捕獲器によるスジマダラメイガの捕虫割合を示す図である。
【図３１】図３１は、試験例５−２に係る捕獲器及び試験例５−２の比較例に係る捕獲器によるスジコナマダラメイガの捕虫割合を示す図である。
【図３２】図３２は、試験例６に係る試験領域（倉庫）の構成を上方から見た平面図である。
【図３３】図３３は、試験例６に係る捕獲器によるチャマダラメイガの捕虫割合を示す図である。
【図３４】図３４は、試験例７に係る試験領域（倉庫）の構成を上方から見た平面図である。
【図３５】図３５は、試験例７に係る捕獲器によるチャマダラメイガの捕虫割合と放飼角度との関係を示す図である。
【図３６】図３６は、試験例７に係る捕獲器によるノシメマダラメイガの捕虫割合と放飼角度との関係を示す図である。
【図３７】図３７は、試験例８に係る捕獲器の射出する減光部材で減光された後の誘引光の波長に対する放射強度分布を示す図である。
【図３８】図３８は、試験例８に係る捕獲器によるチャマダラメイガの捕虫割合を示す図である。
【図３９】図３９は、試験例８に係る捕獲器によるノシメマダラメイガの捕虫割合を示す図である。
【発明を実施するための形態】
【００１３】
本発明の実施形態について図面を参照して説明する。なお、図面は模式的なものであり、長さや大きさの比率等は、図面に示したものに限らない。また、以下の説明における水平、垂直、鉛直、直交等の記載は、厳密に水平、垂直、鉛直、直交等を示す場合に限らない。水平、垂直、鉛直、直交等との記載は、それぞれ、略水平、略垂直、略鉛直、略直交等の意味を含み得る。
【００１４】
なお、以下の説明では、昆虫網鱗翅目メイガ科マダラメイガ亜科に属する昆虫（蛾、ガ）をマダラメイガ（Ｐｈｙｃｉｔｉｎａｅ）と記載する。屋内性のマダラメイガは、少なくとも、チャマダラメイガ（英名：Ｔｏｂａｃｃｏ  ｍｏｔｈ、学名：Ｅｐｈｅｓｔｉａ  ｅｌｕｔｅｌｌａ）、ノシメマダラメイガ（英名：Ｉｎｄｉａｎ  ｍｅａｌ  ｍｏｔｈ、学名：Ｐｌｏｄｉａ  ｉｎｔｅｒｐｕｎｃｔｅｌｌａ）、スジマダラメイガ（英名：Ｄｒｉｅｄ  ｃｕｒｒａｎｔ  ｍｏｔｈ、学名：Ｃａｄｒａ  ｃａｕｔｅｌｌａ）及びスジコナマダラメイガ（英名：Ｍｅｄｉｔｅｒｒａｎｅａｎ  ｆｌｏｕｒ  ｍｏｔｈ、学名：Ｅｐｈｅｓｔｉａ  ｋｕｅｈｎｉｅｌｌａ）を含む。
【００１５】
マダラメイガは、性フェロモンの研究が進んでいる。性フェロモンを利用したマダラメイガ成虫の捕獲器（フェロモントラップ）は、成虫発生のモニタリングに用いられている。ただし、性フェロモンは雄の成虫には有効であるが、雌の成虫には有効ではないため、フェロモントラップを用いても、捕殺による防除効果は期待できない。
【００１６】
屋内性マダラメイガ成虫は、食品工場や倉庫、一般家庭内で発生する。このため、屋内性マダラメイガ成虫の防除においては、殺虫剤の使用が制限され、非化学的防除手段による解決が望まれている。一般的に、多くの昆虫は雌雄に関わらず光に誘引されることが知られている。そのため、非化学的防除手段の一つとして、多くの害虫に対しては光源を備えた捕獲器（ライトトラップ）が広く普及している。一方、マダラメイガ成虫については、実験室内では誘引光への誘引性が観察されているものの、倉庫等の広い空間（実環境）では従来のライトトラップへの捕獲性が著しく低いことが知られている。
【００１７】
実験室内では誘引性を示す光源が実環境においては誘引性を示さない現象の原因を明らかにするため、マダラメイガ成虫の光に対する行動を詳細に解析した。本解析の結果、光には、光量子束密度（放射照度）の違いによってマダラメイガ成虫の誘引と行動抑制という相反する行動を誘起する性質があることが明らかとなった。本解析によれば、低光量子束密度の光源は、マダラメイガ成虫に対して誘引性を示す。一方で、高光量子束密度の光源は、マダラメイガ成虫の行動を抑制する効果を示す。すなわち、従来のライトトラップでは、光で誘引されたマダラメイガ成虫にトラップ近傍で行動抑制がかかってしまうため、捕獲できないことが分かった。
【００１８】
さらにマダラメイガ成虫の光源への接近経路（移動経路、移動領域）を観察した。本観察の結果、マダラメイガ成虫は、床面近くを飛翔又は歩行してから光源へ接近していることが分かった。
【００１９】
これらのことから、光源下方への光量をマダラメイガ成虫に行動抑制がかかる光量未満に制限することによって、マダラメイガ成虫を効率的に捕獲できることが示された。以下、これらの知見に基づいたマダラメイガ成虫を誘引する誘引方法及び光源装置と、マダラメイガ成虫を誘引して捕獲する捕獲方法及び捕獲器について詳細に説明する。
【００２０】
以下の説明では、マダラメイガ成虫に行動抑制がかかる誘引光の光量、すなわち、マダラメイガ成虫に行動抑制が生じる光量子束密度の値を行動抑制光量と記載する。誘引光の光量子束密度の値が行動抑制光量以上である領域を行動抑制領域と記載する。誘引光の光量子束密度の値が行動抑制光量未満である領域を非行動抑制領域と記載する。また、行動抑制領域と非行動抑制領域との境界（行動抑制光量の閾値）を行動抑制境界面と記載する。行動抑制境界面は、光量子束密度の値が行動抑制光量である位置を示す点の集合（面）であるとも表現できる。さらに、誘引光に誘引されたマダラメイガ成虫が誘引光を射出する射出端の近傍へ移動する経路を移動経路（接近経路）と記載し、移動経路と成り得る領域を移動領域と記載する。また、移動領域と移動領域外との境界を移動境界面と記載する。
【００２１】
以下の説明では、マダラメイガ成虫を誘引光の射出端の近傍にまで案内する領域を案内経路と記載する。ここで、案内経路は、光源（射出端）高さと床面との間の領域のうち、マダラメイガの「移動領域内」かつ「非行動抑制領域内」の領域である。なお、案内経路は、「移動領域内の非行動抑制領域」である場合と、「非行動抑制領域内の移動領域」である場合とがあり得る。また、案内経路と案内経路外の領域との境界を基準面として記載する。ここで、案内経路が「移動領域内の非行動抑制領域」であるとき、基準面は行動抑制境界面である。案内経路が「非行動抑制領域内の移動領域」であるとき、基準面は移動境界面である。
【００２２】
［第１の実施形態］
＜構成＞
本実施形態に係る捕獲器１の構成例の概略について正面図（左）と側面図（右）とを並べて模式図として図１に示す。また、捕獲器１から射出される誘引光について説明するための図を図２に示す。
【００２３】
本実施形態に係る捕獲器１は、図１に示すように、光源部１０と、捕獲部２０と、支持部材３０とを備える。光源部１０と捕獲部２０とは、支持部材３０に配置されている。捕獲器１は、例えば支持部材３０の下端（捕獲器１の下端）が床面と接するようにして配置される。捕獲器１は、例えば支持部材３０の裏面（Ｘ−側の面）が壁面と接するようにして配置される。
【００２４】
以下、説明の簡単のために、重力方向をＺ−方向と定義し、Ｚ方向に垂直、かつ、捕獲器１に対して誘引光が射出される側の方向をＸ＋方向と定義し、Ｚ方向及びＸ方向に垂直な方向をＹ方向と定義する。
【００２５】
光源部１０は、誘引光を所定の射出特性で射出できるように構成されている。射出特性は、誘引光の放射強度、放射角度、波長等の各種特性を含む。図２に、本実施形態に係る誘引光の射出特性について説明するための図を示す。図２では、指向性を有する誘引光が光源部１０の射出端から水平方向（Ｘ＋方向）に向けて射出されている場合が例として示されている。図２には、簡単のため、誘引光の射出端の高さ（誘引光の光軸）より下側のみ示している。本実施形態に係る光源部１０は、所定の放射強度（光量子束密度）で、誘引光を所定の時間、連続的に射出する。本実施形態並びに以下の各実施形態及び変形例において、誘引光は、連続光あるいは、いずれの周波数の点滅光であってもよく、所定の放射強度の調整には、何れの方法を用いてもよい。所定の時間とは、数分間から数時間、数時間から数日間、或いは、数日間から数か月間、の何れの時間間隔であってよく、何れの時間間隔であっても一定の捕虫効果が認められる。
【００２６】
図２に示す場合では、行動抑制境界面ＩＢは、光源部１０の誘引光を射出する光軸より鉛直方向の下側（Ｚ−側、以下単に下側という）に位置し、行動抑制領域ＳＡと非行動抑制領域ＷＡとの境界である。このとき、行動抑制境界面ＩＢは、誘引光のうち、光軸から所定の角度以上外れた誘引光であって光量子束密度が行動抑制光量にまで低下している誘引光によって形成されている。したがって、例えば図２に示すように、指向性を有する誘引光が円錐状に射出されているとき、その行動抑制境界面ＩＢは、当該円錐の外周面の一部である。なお、行動抑制境界面ＩＢの角度や位置、面積、形状等は、行動抑制領域ＳＡと非行動抑制領域ＷＡとの形状等に応じて適宜決定され得る。なお、光源部１０は、行動抑制境界面ＩＢより鉛直方向の上側（Ｚ＋側、以下単に上側という）に、所定の放射強度（光量子束密度）で、誘引光を所定の時間、連続的に射出するとも表現できる。
【００２７】
光源部１０の射出する誘引光は、マダラメイガの成虫（マダラメイガ成虫）を誘引できる性質を有する光である。誘引光がマダラメイガを誘引できるか否かは、例えば、光（誘引光）の強さ、波長等に依存する。本実施形態に係る誘引光は、３７５〜３８０ｎｍを中心波長とする紫外光であるが、これに限らない。誘引光は、マダラメイガ成虫を誘引できる波長の光であればよい。誘引光は、紫外領域以外の波長成分を含んでいてもよい。
【００２８】
光源部１０の誘引光の放射強度は、捕獲部２０の近傍（図２に示す計測位置ＭＰ）における誘引光の放射照度［μＷ／ｃｍ２］が０．１〜５となる放射強度であることが好ましい。また、同位置における誘引光の光量子束密度［ｐｈｏｔｏｎｓ／ｍ２／ｓ］は、０．１×１０１４〜１０×１０１４であることが好ましい。
【００２９】
光源部１０は、図１に示すように、光源１１を備える。ここで、図２に示すように、光源１１の光軸と行動抑制境界面ＩＢとの成す角を、光源１１の配光角（θ／２）と定義する。光源１１は、狭い配光角である狭角配光角（θｎ／２）の光線（誘引光）を射出できるように構成されている。例えば、射出された誘引光の狭角配光角θｎ／２は、Ｌ×ｔａｎ（θｎ／２）＜Ｈの関係を満たす範囲の角度である。ここで、Ｌは所定の光量子束密度で射出された誘引光の光量子束密度の値が、大気中で行動抑制光量未満にまで減衰する距離であり、Ｈは光源１１の射出端の高さである。光源１１の高さＨが３０ｃｍであれば、光源１１の狭角配光角（θｎ／２）は、例えば、０°〜５３°（限界配光角θｃ／２）であることが好ましい。本実施形態に係る光源１１の狭角配光角（θｎ／２）は、１５°である。本実施形態に係る光源１１は、紫外光（誘引光）を射出できる発光ダイオード（ＬＥＤ）であるが、これに限らない。光源１１は、例えば、蛍光灯、白熱電球、ネオンランプ、水銀灯、ハロゲンランプ等であってもよい。
【００３０】
捕獲部２０は、誘引光に誘引されたマダラメイガを捕獲できるように構成されている。捕獲部２０は、例えば、光源部１０の近傍に配置されている。捕獲部２０は、例えば、誘引光の光量子束密度が所定の値未満である領域（案内経路）内に配置されている。捕獲部２０は、Ｘ＋側の面に捕獲部材を備える。捕獲部材は、捕獲部材に接触したマダラメイガを捕獲できるものであればよい。捕獲部材は、例えば、粘着シート（捕獲紙）等の粘着部材、電撃殺虫器のように接触したマダラメイガに電圧を印加して捕獲する部材、上面（入口）がロート状に形成されて内部に水や殺虫剤を備える部材、吸引式の捕獲部材、水盤等であってもよいし、これらの組み合わせであってもよい。また、捕獲部２０は、案内経路内に複数の捕獲部材を備えていてもよく、案内経路外の領域に配置された捕獲部材を含んでいてもよい。
【００３１】
本実施形態に係る捕獲部２０は、図１に示すように、下側捕獲部２１と、上側捕獲部２２とを備える。下側捕獲部２１は、光源１１の近傍、かつ、下側（Ｚ−側）に配置されている。上側捕獲部２２は、光源１１の近傍、かつ、上側（Ｚ＋側）に配置されている。下側捕獲部２１及び上側捕獲部２２の捕獲部材は、例えば交換可能な粘着シートである。
【００３２】
支持部材３０は、光源部１０と捕獲部２０とを支持する。本実施形態に係る支持部材３０は矩形の板状であるが、これに限らない。支持部材３０は、所定の位置や角度で光源部１０と捕獲部２０とを支持できる形状、材質であれば何でもよい。なお、光源部１０と捕獲部２０とは一体に構成されていなくてもよい。
【００３３】
＜作用＞
光源部１０は、図２に示すように、誘引光の射出によって行動抑制境界面ＩＢ１より上側（Ｚ＋側）に行動抑制領域ＳＡ１を形成する。すなわち、誘引光の放射強度、放射角度等の光源部１０の射出特性は、射出した誘引光が行動抑制領域を形成できるように設定されている。また、光源部１０は、図２に示すように、誘引光の射出によって行動抑制境界面ＩＢ１より下側（Ｚ−側）に非行動抑制領域ＷＡ１を形成する。すなわち、誘引光の放射強度、放射角度等の光源部１０の射出特性は、射出した誘引光が案内経路をさらに形成できるように設定されている。
【００３４】
行動抑制領域ＳＡ１は、誘引光の放射照度（光量子束密度）の値が、マダラメイガ成虫に行動抑制が生じる割合（行動抑制割合）が高いときの値（行動抑制光量）以上の領域である。誘引光の放射照度（光量子束密度）の値は、光源部１０の射出特性と、光源部１０の射出端との相対位置とによって変化する。例えば、活動していたマダラメイガ成虫の行動抑制割合が８割以上のとき、行動抑制割合は高いと表現できる。
【００３５】
非行動抑制領域ＷＡ１は、誘引光の放射照度（光量子束密度）の値が、行動抑制割合が低いときの値（行動抑制光量）未満の領域である。したがって、非行動抑制領域ＷＡ１は、誘引光に誘引されたマダラメイガを捕獲部２０にまで案内するための領域であると表現できる。例えば、活動していたマダラメイガ成虫の行動抑制割合が８割未満のとき、行動抑制割合は低いと表現できる。
【００３６】
なお、行動抑制境界面ＩＢ１は、光源部１０の誘引光を射出する光軸より下側（Ｚ−側）に位置し、行動抑制領域ＳＡ１と非行動抑制領域ＷＡ１との境界である。
【００３７】
なお、案内経路は、少なくとも行動抑制境界面ＩＢより下側（Ｚ−側）に形成される。これは、誘引光に誘引されたマダラメイガ成虫が光源部１０の近傍に配置されている捕獲部２０にまで移動する移動経路（移動領域）が、誘引光の光軸に対して下側（Ｚ−側）から誘引光の射出端へ向かう経路である傾向が高いことに基づく。このため、案内経路は、少なくとも行動抑制領域ＳＡと床面３との間に形成される。
【００３８】
なお、本実施形態に係る捕獲方法及び捕獲器１は、上述したように、誘引光の射出によって案内経路を形成し、誘引光に誘引されたマダラメイガ成虫を案内経路によって光源１１（誘引光の射出端）の近傍にまで案内し、マダラメイガ成虫を捕獲するものである。すなわち、本実施形態に係る光源部１０は、マダラメイガ成虫を誘引する光源装置であるとも表現できる。同様に、本実施形態に係る技術は、マダラメイガ成虫を誘引する誘引方法を含む。
【００３９】
＜効果＞
本実施形態に係る誘引方法、捕獲方法、光源部１０（光源装置）、捕獲器１によれば、以下のことが言える。
【００４０】
本実施形態に係るマダラメイガ成虫の誘引方法は、マダラメイガ亜科に属する蛾の成虫である屋内性のマダラメイガ成虫の誘引方法であって、所定の光量子束密度で所定の時間以上、誘引光を射出し、誘引光の射出端（光源１１）の高さより下側で所定の光量子束密度より小さい光量子束密度を有する領域内にマダラメイガ成虫を射出端の近傍にまで案内する案内経路を形成する。また、本実施形態に係るマダラメイガ成虫を誘引するための光源装置（光源部１０）は、所定の光量子束密度で誘引光を射出し、誘引光の射出によって、誘引光の射出端（光源１１）の高さより下側で所定の光量子束密度より小さい光量子束密度を有する領域内にマダラメイガ亜科に属する蛾の成虫である屋内性のマダラメイガ成虫を射出端の近傍にまで案内する案内経路を形成する。
【００４１】
この方法及び構成によれば、誘引光の射出によって誘引光の射出端より下側の領域内に案内経路を形成し、マダラメイガ成虫を誘引光の射出端の近傍にまで誘引できる。一方で、案内経路以外の領域では、所定の光量子束密度のままであってもよい。すなわち、案内経路を形成できれば、案内経路以外の領域に照射される誘引光の光量子束密度は問われない。したがって、この方法及び構成によれば、広いマダラメイガ成虫の誘引範囲を保ちつつ、案内経路によってマダラメイガ成虫を誘引できる。
【００４２】
本実施形態に係るマダラメイガ成虫の捕獲方法は、上述の誘引方法に加え、さらに案内経路内で誘引光に誘引されたマダラメイガ成虫を捕獲する。また、本実施形態に係るマダラメイガ成虫の捕獲器１は、上述の光源部１０と、案内経路内に配置され、誘引光で誘引されたマダラメイガ成虫を捕獲可能な捕獲部２０とを備える。
【００４３】
この方法及び構成によれば、誘引光の射出によって形成された案内経路でマダラメイガ成虫を誘引光の射出端の近傍にまで誘引し、捕獲できる。なお、捕獲は案内経路内で行われればよく、捕獲部２０は、少なくとも案内経路内に配置されていればよい。
【００４４】
上述の誘引方法、捕獲方法、光源装置及び捕獲器１において、案内経路は、射出端の高さと床面との間の領域内のうち、誘引光の光量子束密度の値が前記マダラメイガ成虫に行動抑制が生じる光量子束密度の値（行動抑制光量）未満である非行動抑制領域内にある。この方法及び構成によれば、案内経路内をマダラメイガ成虫に行動抑制が生じない又は生じる割合が低い領域とすることができるため、マダラメイガ成虫に行動抑制を生じさせることなく又は生じさせる割合を低減させつつ、広い範囲のマダラメイガ成虫を誘引又は捕獲できる。
【００４５】
上述の誘引方法、捕獲方法、光源装置及び捕獲器１において、案内経路は、射出端の高さと床面との間の領域内のうち、誘引光の光量子束密度の値が前記マダラメイガ成虫に行動抑制が生じる光量子束密度の値（行動抑制光量）未満である非行動抑制領域内、かつ、誘引光に誘引されたマダラメイガ成虫が射出端の近傍へ移動する移動領域内にある。ここで、誘引光に誘引されたマダラメイガ成虫の移動領域内に非行動抑制領域があってもよいし、非行動抑制領域内に移動領域があってもよい。この方法及び構成によれば、案内経路は、誘引光に誘引されたマダラメイガ成虫の移動領域であり、マダラメイガ成虫に行動抑制が生じない又は生じる割合が低い領域（非行動抑制領域）であるため、マダラメイガ成虫の誘引割合及び捕獲割合を向上させることができる。
【００４６】
上述の誘引方法及び捕獲方法において、誘引光の射出は、指向性を有する誘引光を射出することである。また、上述の光源装置及び捕獲器１において、誘引光は指向性を有する。この方法及び構成によれば、上述の案内経路を簡易に形成できる。例えば、配光角θ／２は、０°≦θ／２≦５３°の関係を満たす。
【００４７】
上述の誘引方法、捕獲方法、光源装置及び捕獲器１において、案内経路は、射出端が配置されている面から床面と略平行に１５ｃｍ以内の領域及び床面からの高さが３０ｃｍ以内の領域である。この方法及び構成によれば、マダラメイガ成虫に行動抑制を生じさせることなく又は生じさせる割合を低減させつつ、広い範囲のマダラメイガ成虫を誘引又は捕獲できる。つまり、誘引光の光軸より下側から誘引光の射出端へ向かって移動するマダラメイガ成虫を適切に誘引又は捕獲できる。
【００４８】
上述の誘引方法、捕獲方法、光源装置及び捕獲器１において、誘引光の射出は、水平方向に向けて行われ、案内経路内における誘引光の光量子束密度ｄ［ｐｈｏｔｏｎｓ／ｍ２／ｓ］は、０＜ｄ＜２×１０１４又は０＜ｄ≦０．１×１０１４の関係を満たす値である。この方法及び構成によれば、マダラメイガ成虫に行動抑制を生じさせることなく又は生じさせる割合を低減させつつ、マダラメイガ成虫を誘引又は捕獲できる。
【００４９】
上述の誘引方法及び捕獲方法において、誘引光は、少なくとも１つの発光ダイオード（ＬＥＤ）によって射出される。また、上述の光源装置及び捕獲器１は、誘引光を射出する少なくとも１つのＬＥＤを備える。この方法及び構成によれば、誘引又は捕獲に係る消費電力を低減できる。また、光源装置及び捕獲器１の構造の簡略化や小型化、低コスト化、長寿命化が容易となる。ＬＥＤは、ＬＥＤが封入されている樹脂やガラス等のカバー（光学系）により、狭角配光に光線を放射する指向特性に構成されているものがあり、指向性の強い狭角配光の誘引光を容易に実現できる。
【００５０】
上述の捕獲方法において、捕獲は、案内経路内の射出端の近傍に捕獲部材を配置することにより行われる。また、上述の捕獲器１において、捕獲部２０は、案内経路内の射出端の近傍に配置されている。この方法及び構成によれば、誘引光に誘引されたマダラメイガ成虫を適切に捕獲できる。
【００５１】
上述の捕獲方法において、捕獲は、案内経路内の床面上に捕獲部材を配置することにより行われる。また、上述の捕獲器１において、捕獲部２０は、案内経路内の床面上に配置されている。この方法及び構成によれば、誘引光に誘引されたマダラメイガ成虫を、光源１１の近傍にまで移動する途中であっても適切に捕獲できる。
【００５２】
［第２の実施形態］
以下、本実施形態に係る捕獲器１について、図面を参照して説明する。ここでは、第１の実施形態との相違点について主に説明し、同一の部分については同一の符号を付してその説明を省略する。
【００５３】
＜構成＞
本実施形態に係る捕獲器１の構成の概略について正面図（左）と側面図（右）とを並べて模式図として図３に示す。第１の実施形態では、指向性を有する誘引光を射出できる光源１１を用いて、光源１１の高さより下側に非行動抑制領域ＷＡ１（ＷＡ）及び案内経路を形成できる捕獲器１について説明した。一方で、誘引光は、光源１１の特性以外に起因して狭角に調整されてもよい。そこで、本実施形態では、光源１１の放射した光線（誘引光）を狭角の誘引光に調整する光学素子１２を備える捕獲器１について説明をする。
【００５４】
本実施形態に係る捕獲器１の光源部１０は、図３に示すように、光源１１に加えて、光学素子１２をさらに備える。光学素子１２は、光源１１のＸ＋側に配置されている。
【００５５】
本実施形態に係る光源１１は、例えば紫外光を放射可能な蛍光管であるが、これに限らない。光源１１は、マダラメイガ成虫を誘引できる波長及び強度で誘引光を放射できる光源であればよく、発光ダイオード（ＬＥＤ）、白熱電球、ネオンランプ、水銀灯、ハロゲンランプ等であってもよい。
【００５６】
光学素子１２は、光源１１から放射された光線（誘引光）が所定の射出特性で光源部１０の射出端から射出されるように、誘引光の強度、指向特性、波長等を調整する。本実施形態に係る光源部１０は、図３に示すように、光学素子１２として絞り部１３を備える。絞り部１３は、光源１１の一部を覆い、光源１１が誘引光を放射する面積（放射面積）を制限する。絞り部１３の開口部の形状は、円形であってもよいし、三角形であってもよいし、四角形又はそれ以上の多角形等であってもよい。すなわち、絞り部１３は、例えば、ピンホール等の孔の周囲を規定する部分であってもよいし、スリットの周囲を規定する部分であってもよいし、光源１１を覆うカバーであってもよい。絞り部１３には、減光フィルタ（ＮＤフィルタ）等の誘引光を減光できる部材（減光部材）が用いられてもよいし、アルミ箔等の金属、樹脂、液晶等の誘引光を１００％減光できる減光部材、すなわち誘引光を遮光できる部材（遮光部材）が用いられてもよい。絞り部１３の開口部の形状や面積、材料は適宜設計され得る。
【００５７】
本実施形態に係る捕獲器１の備える捕獲部２０は、中央捕獲部２３を備える。中央捕獲部２３は、光源１１のＸ＋側の近傍に配置されている。中央捕獲部２３の捕獲部材は、中央捕獲部２３のＸ＋側に配置されている。捕獲部材の構成は第１実施形態と同様である。中央捕獲部２３の中心には、絞り部１３が設けられている。本実施形態に係る中央捕獲部２３の捕獲部材の形状は、矩形であるが、これに限らない。捕獲部材の形状は、マダラメイガ成虫を捕獲できる形状であれば何でもよい。
【００５８】
＜作用・効果＞
本実施形態に係る捕獲器１では、絞り部１３によって光源１１の放射面積を制限することで、誘引光の放射角度（指向特性）を狭角に調整する。これにより、本実施形態に係る捕獲器１は、第１の実施形態に係る捕獲器１と同様に、狭角配光の誘引光（指向性を有する誘引光）を射出できる。すなわち、本実施形態に係る捕獲器１は、第１の実施形態に係る捕獲器１と同様に、光源１１の高さより下側に非行動抑制領域ＷＡを形成して案内経路を形成できる。
【００５９】
本実施形態に係る捕獲器１によれば、以下のことが言える。
【００６０】
上述の誘引方法及び捕獲方法において、指向性を有する誘引光（狭角配光の誘引光）の射出は、光学素子１２によって光源１１から入射した光線を指向性を有する誘引光として射出して行われる。また、上述の光源装置及び捕獲器１は、光源１１と、光源１１から入射した光線を指向性を有する誘引光として射出する光学素子１２とを備える。この方法及び構成によれば、第１の実施形態に係る誘引方法、捕獲方法、光源装置及び捕獲器１と同様の効果が得られ得る。また、第１の実施形態に係る捕獲器１の効果に加えて、光源１１として選択できる光源に制限が少ないといった効果がある。例えば、本実施形態に係る光源１１は、狭角配光に構成されていなくてもよい。
【００６１】
上述の誘引方法及び捕獲方法において、指向性を有する誘引光（狭角配光の誘引光）の射出は、光源１１と対向する位置に孔部又はスリットを含む絞り（絞り部１３）を配置して行われる。また、上述の光源装置及び捕獲器１において、光学素子１２は、光源１１と対向する位置に配置された孔部又はスリットを含む絞り部１３である。この方法及び構成によれば、集光レンズ等の光学系を用意することなく、簡易な方法又は構造によって指向性を有する誘引光（狭角配光の誘引光）を射出できる。
【００６２】
なお、光学素子１２は、集光レンズ、コリメータ等の光学部材によって構成されていてもよい。また、光源１１が放射した光線（誘引光）が紫外領域以外の波長成分を含む場合には、光学素子１２は、特定の波長域の光線のみ透過したり、特定の波長域の光線のみ反射したりするような波長選択板を含んでいてもよい。この場合には、光源の選択性がさらに向上する。なお、光学素子１２は、捕獲部２０に設けられていなくてもよい。
【００６３】
なお、本実施形態に係る中央捕獲部２３は、第１の実施形態に係る捕獲器１に適用できる。つまり、第１の実施形態に係る捕獲器１は、下側捕獲部２１及び中央捕獲部２３のうち少なくとも１つを備えていればよい。また、本実施形態に係る捕獲器１は、第１の実施形態に係る下側捕獲部２１又は上側捕獲部２２のうち少なくとも１つを備えていてもよいし、さらに床面上に配置されている捕獲部材を備えていてもよい。また、本実施形態に係る捕獲器１の捕獲部２０は、床面上に配置された捕獲部材のみであってもよい。何れの場合であっても、少なくとも１つの捕獲部材が、案内経路内に配置され、案内経路内で捕獲が行われればよい。
【００６４】
［第１の変形例］
以下、本変形例に係る捕獲器１を構成する光源部１０（光源装置）について、図面を参照して説明する。ここでは、第１の実施形態又は第２の実施形態との相違点について主に説明し、同一の部分については同一の符号を付してその説明を省略する。
【００６５】
第１の実施形態及び第２の実施形態では、指向性を有する誘引光（狭角配光の誘引光）を射出することによって行動抑制境界面ＩＢの下側（Ｚ−側）に非行動抑制領域及び案内経路を形成する誘引方法、捕獲方法、光源装置及び捕獲器１について説明をした。上述した狭角配光の誘引光は、誘引光の光軸方向であれば、徐々に減衰しながらも到達できる。一方で、上述した狭角配光の誘引光は、水平方向（Ｘ方向又はＹ方向）にも狭角である。このため、誘引光の射出方向（光軸）から水平方向に外れた方向にある放飼地点から放飼されたマダラメイガに対する誘引性及び捕獲割合が低いという課題がある。そこで、本実施形態に係る技術は、水平方向には広角配光であり、かつ、重力方向（Ｚ方向）には狭角配光である指向性を有する誘引光を射出することによって、非行動抑制領域及び案内経路を形成する。
【００６６】
＜構成＞
本変形例に係る光源部１０の構成の概略を模式図として図４に示す。本実施形態に係る光源部１０は、図４に示すように、複数の第１の実施形態に係る光源１１を備える。複数の光源１１は、図４に示すように、誘引光が放射状に射出されるように支持部材３０に放射状に配置されている。すなわち、複数の光源１１は、半円柱形の支持部材３０の外周面が構成する円弧上に所定の間隔をおいて（例えば等間隔に）配置される。なお、支持部材３０の形状は半円柱形に限らず、例えば半球状であってもよい。
【００６７】
＜効果＞
本変形例に係る捕獲器１によれば、以下のことが言える。
【００６８】
上述の誘引方法、捕獲方法、光源装置及び捕獲器１において、指向性を有する誘引光（狭角配光の誘引光）の射出は、水平方向に関して放射状に行われる。この方法及び構成によれば、第１の実施形態又は第２の実施形態に係る誘引方法、捕獲方法、光源装置及び捕獲器１で得られる効果に加えて、水平方向に広角の行動抑制領域ＳＡを形成して、より広範囲のマダラメイガを誘引できる。また、案内経路も水平方向に広範囲に形成できるため、より広範囲のマダラメイガ成虫を捕獲できるという効果がある。
【００６９】
なお、複数の第１の実施形態に係る光源１１が放射状に配置されている場合を例として説明をしたが、これに限らない。例えば、第２の実施形態に係る光源部１０が複数設けられていてもよい。この方法及び構成であっても上述と同様の効果が得られ得る。
【００７０】
なお、本変形例に係る光源装置及び捕獲器１は、例えば、少なくとも１つの広角配光の光源１１と、放射状に配置された複数の光学素子１２とを備えていてもよい。これらを用いた方法及び構成によれば、光源１１の数を低減できるため、捕獲器１の構成を簡易にしたり、消費エネルギを低減したりできるという効果が得られ得る。
【００７１】
なお、本変形例に係る光源装置及び捕獲器１は、例えば、少なくとも１つの広角配光の光源１１と、放射状に複数の絞り部１３又はスリットが設けられた光学素子１２とを備えていてもよい。これらを用いた方法及び構成によれば、光源１１及び光学素子１２の数を低減できるため、捕獲器１の消費エネルギの低減に加えて、製造コストを低減できるという効果が得られ得る。
【００７２】
なお、本変形例では、複数の光源１１が放射状に配置されている場合を例として説明をしたが、これに限らない。例えば、複数の光源１１は、互いに誘引光の射出方向が異なるように、同一の平面上に略直線状に配置されていてもよい。また、光学素子１２は、水平方向に開口しているスリットを備えていてもよい。これらを用いた方法及び構成であっても、上述と同様の効果が得られ得る。
【００７３】
［第３の実施形態］
以下、本実施形態に係る捕獲器１について、図面を参照して説明する。ここでは、第１の実施形態、第２の実施形態又は第１の変形例との相違点について主に説明し、同一の部分については同一の符号を付してその説明を省略する。
【００７４】
＜構成＞
本実施形態に係る捕獲器１の構成の概略について正面図（左）と側面図（右）とを並べて模式図として図５に示す。第１の実施形態、第２の実施形態及び第１の変形例では、狭角配光の誘引光（指向性を有する誘引光）を少なくとも１方向に射出することで、非行動抑制領域ＷＡ及び案内経路を形成できる技術について説明をしたが、誘引光は狭角配光の誘引光に限らない。例えば、以下に説明するような指向性を有する誘引光であっても同様に非行動抑制領域ＷＡ及び案内経路を形成できる。
【００７５】
本実施形態に係る光源部１０は、図５に示すように、光源１１と、光学素子１２とを備える。光学素子１２は、光源１１のＸ＋側に配置されている。
【００７６】
本実施形態に係る光源１１は、例えば紫外光を放射可能な蛍光管であるが、これに限らない。光源１１は、マダラメイガ成虫を誘引できる波長及び強度で誘引光を放射できる光源であればよく、発光ダイオード（ＬＥＤ）、白熱電球、ネオンランプ、水銀灯等であってもよい。
【００７７】
本実施形態に係る光源部１０は、図５に示すように、光学素子１２として減光部材１４を備える。減光部材１４は、減光部材１４を通過した誘引光の放射照度（光量子束密度）の値が、非行動抑制領域において、行動抑制光量未満となるように、誘引光を減光する部材である。減光部材１４には、例えば減光フィルタ（ＮＤフィルタ）等の誘引光を減光できる部材が用いられる。なお、減光部材として、アルミ箔等の金属、樹脂、液晶等の誘引光を１００％減光できる、すなわち誘引光を遮光できる部材（遮光部材）が用いられてもよい。遮光した場合であっても、回析により遮光部材の背後（下側）にわずかに光が回りこむため、案内経路（非行動抑制領域）は形成される。減光部材１４は、光源１１の下側（Ｚ−側）であって、下側捕獲部２１の上側（Ｚ＋側）である位置に配置されている。例えば、減光部材１４を介して誘引光の光量子束密度が行動抑制光量以上から行動抑制光量未満となるとき、減光部材１４が配置されている面は、本実施形態に係る行動抑制境界面である。一方で、誘引光の光量子束密度は、減光部材１４で減光された後に、さらに減衰して行動抑制光量未満となる場合もあり得る。このとき、行動抑制境界面は、誘引光の光量子束密度が減衰して行動抑制光量未満となった位置である。
【００７８】
＜作用・効果＞
本実施形態に係る減光部材１４は、光源１１から放射された誘引光のうち、減光部材１４より下側へ向かう誘引光の強度を低下させ、行動抑制割合が低い誘引光の強度（非行動抑制光量）未満の領域を形成する。一方で、減光部材１４より上側へ射出された誘引光の強度は減光されない。このようにして、本実施形態に係る光源装置及び捕獲器１は、減光部材１４より上側には高い放射強度で誘引光を射出し、減光部材１４より下側には減光された低い放射強度の誘引光を射出する。このような指向性を有する誘引光であっても、第１の実施形態、第２の実施形態及び第１の変形例と同様に、広範囲のマダラメイガを誘引しつつ、非行動抑制領域ＷＡ及び案内経路を形成できる。
【００７９】
本実施形態に係る捕獲器１によれば、以下のことが言える。
【００８０】
上述の誘引方法及び捕獲方法において、誘引光の射出は、誘引光の光量子束密度を低下させる減光部材１４を射出端の下側に配置して行われ、減光部材１４は、所定の光量子束密度を案内経路内においてマダラメイガ成虫に行動抑制が生じる光量子束密度の値（行動抑制光量）未満にする。また、上述の光源装置及び捕獲器１は、射出端の下側に配置され、所定の光量子束密度を案内経路内においてマダラメイガ成虫に行動抑制が生じる光量子束密度の値（行動抑制光量）未満にする減光部材１４を備える。上述のマダラメイガ成虫の誘引方法、捕獲方法、光源装置及び捕獲器１において、減光部材１４は、水平方向に延びる。すなわち、減光部材１４は、床面と平行に配置され、射出端の配置されている面から、誘引光の射出方向に延設されている。なお、減光部材１４は、誘引光を１００％減光する遮光部材であってもよい。
【００８１】
これらの方法及び構成によれば、行動抑制境界面ＩＢの上側には、より広範囲のマダラメイガを誘引できる行動抑制光量以上の誘引光が射出され、行動抑制境界面ＩＢの下側には、光源１１の放射した誘引光が減光部材１４で減光された後に射出される。したがって、本実施形態に係る方法及び構成によれば、上述の実施形態及び変形例と同様に、広い誘引範囲を有していながら、減光部材１４の下側に非行動抑制領域及び案内経路を形成することができるため、光源１１の射出特性によらず、マダラメイガ成虫を誘引又は捕獲できる。また、本実施形態に係る光源装置及び捕獲器１は、第１の実施形態及び第２の実施形態に係る捕獲器１と比較して、マダラメイガの誘引に効果的な行動抑制領域を容易に大きくできるという効果もある。さらに、蛾（ガ）の飛翔経路に曲がりを生じた場合でも、蛾が行動抑制領域ＳＡ側に移動してしまうことを物理的に阻害することができる。これによって、行動抑制領域ＳＡ側に移動した蛾が行動抑制されることで捕獲数が低下するといった不具合を生じることを防止できる。
【００８２】
［第２の変形例］
以下、本変形例に係る捕獲器１について説明する。ここでは、上述の実施形態及び変形例との相違点について主に説明し、同一の部分については同一の符号を付してその説明を省略する。
【００８３】
上述の実施形態及び変形例では、誘引光を射出して、誘引光によってマダラメイガ成虫を誘引する捕獲器１について説明をしたが、これに限らない。捕獲器１は、誘引光に加えて、さらに誘引光以外の誘引手段を備えていてもよい。
【００８４】
上述の誘引方法及び捕獲方法において、マダラメイガ成虫用の誘引物質（マダラメイガ成虫用の性フェロモン）を用いて前記マダラメイガ成虫を誘引することをさらに含む。また、上述の光源装置及び捕獲器１は、マダラメイガ成虫用の誘引物質を周囲に拡散可能に構成された薬剤収容部をさらに備える。薬剤収容部は、例えば捕獲部２０の近傍に配置されるが、性フェロモン等の化学物質が、案内経路内に拡散できるように構成されていれば、行動抑制領域ＳＡ内に配置されていてもよい。この方法及び構成によれば、行動抑制領域ＳＡを形成する誘引光に加えて、性フェロモン等のマダラメイガ成虫を誘引する化学物質によって、捕獲器１のマダラメイガ成虫に対する誘引性をさらに向上させる効果がある。
【００８５】
なお、性フェロモン等に誘引されたマダラメイガ成虫も、案内経路によって捕獲部２０まで案内できる。すなわち、従来は困難であったライトトラップとフェロモントラップとの組み合わせを実現することができるという効果もある。なお、本変形例に係る技術は、上述した何れの実施形態及び変形例に係る捕獲器１にも適用できる。
【００８６】
なお、光源１１の配光角（θ／２）に合わせて誘引光の射出角度を決定することで、非行動抑制領域と案内経路とが形成されてもよい。この場合、行動抑制境界面と、床面とが接しないように、射出角度が上側に調整されればよい。このような方法及び構成であっても、上述の実施形態及び変形例と同様の効果が得られ得る。
【実施例】
【００８７】
［試験例１］
まず、誘引光によってマダラメイガを誘引し、誘引されたマダラメイガを誘引光の射出端の近傍で捕獲するにあたって要求される誘引光の射出特性について検討した。本試験例では、誘引光の放射照度（光量子束密度）と、マダラメイガの誘引（捕獲）効果との関係について検討を行った。【００８８】
図６に、本試験例に係る試験領域の構成例の概略を模式図として示す。図６に示すように、本試験例に係る試験領域は、奥行き（Ｘ方向）が３．６ｍであり、幅（Ｙ方向）が１．８ｍであり、高さ（Ｚ方向）が１．８ｍである。試験領域のＸ−側の壁面には、本試験例に係る第１の試験用捕獲器１ａがＸ＋方向に誘引光を射出可能に配置されている。第１の試験用捕獲器１ａは、図６に示すように、捕獲器の下端が床面に接するように配置されている。本試験領域における試供虫の放飼地点Ｒ０は、Ｘ＋側の壁面の中央、かつ床面上である。なお、試験領域は、試験領域外から光が入射しないように構成されている。【００８９】
図７に、本試験で用いた第１の試験用捕獲器１ａの構成の概略を模式図として示す。第１の試験用捕獲器１ａは、光源１１を具備する光源部１０と、下側捕獲部２１を具備する捕獲部２０と、支持部材３０とを備える。図７に示すように、第１の試験用捕獲器１ａは、光源１１の近傍、かつ、下側（Ｚ−側）に下側捕獲部２１が配置された構成を有する。第１の試験用捕獲器１ａの光源１１（第１の光源１１ａ）は、紫外光を放射できる発光ダイオード（４８素子、ＮＳ３７５Ｌ−３ＲＬＱ、ナイトライド・セミコンダクター社製）である。第１の試験用捕獲器１ａは、入力電圧の調整によって射出される光の光強度が調整可能に構成されている。第１の光源１１ａの放射する光線（誘引光）の中心波長は、３７５〜３８０ｎｍである。下側捕獲部２１の捕獲部材は、下側捕獲部２１のＸ＋側に配置されている。捕獲部材は、交換可能な粘着紙である。【００９０】
本試験に先立って、第１の光源１１ａの放射する光線（誘引光）の放射照度を計測した。第１の光源１１ａによる誘引光の放射照度は、複数の第１の光源１１ａの放射強度毎に計測した。放射照度は、誘引光の射出端に正対して１５ｃｍ離れた位置（図２に示す計測位置ＭＰ）で計測した。放射照度の測定には、朝日分光社製のＨＳＵ−１００Ｓが用いられた。ここで、放射照度［Ｗ／ｍ２］の大きさは、単位面積あたりに入射する放射束（誘引光の光束）の量を示し、光源部１０から射出されるときの誘引光の放射強度の大きさと相関がある。また、放射照度は、光線の波長［ｍ］を用いて光量子束密度［ｐｈｏｔｏｎｓ／ｍ２／ｓ］として表現できる。ここで、光量子束密度は、単位時間及び単位面積あたりの光子数を示す値である。【００９１】
本試験で用いた試験対象（供試虫）は、チャマダラメイガ及びノシメマダラメイガである。本試験では、発生２日後の雌雄各２５頭のチャマダラメイガ及びノシメマダラメイガが供試虫として用いられた。【００９２】
本試験の手順を説明する。まず、捕獲部２０に粘着紙を取り付けた。その後、供試虫１００頭を、試験領域内に上述の放飼地点より同時放飼した。放飼後、光源部１０に所定の放射強度で誘引光を射出させた。２３時間後に粘着紙を回収し、粘着紙に捕獲された供試虫の頭数をカウントした。【００９３】
本試験は、上述の手順を、複数の放射強度毎に実施した。複数の放射強度は、それぞれ上述したように算出された光量子束密度の値が、０、０．１×１０１４、２×１０１４、１０×１０１４、２０×１０１４、４０×１０１４、６０×１０１４、７５×１０１４、１００×１０１４となる放射強度である。なお、粘着紙は試験毎に交換した。【００９４】
図９及び図１０に本試験の結果を示す。図９及び図１０は、それぞれ、チャマダラメイガの捕虫数と、ノシメマダラメイガの捕虫数とを示す。図９及び図１０において、横軸は光量子束密度［ｐｈｏｔｏｎｓ／ｍ２／ｓ］を示し、縦軸は捕虫数を示す。【００９５】
図９に示すように、例えば光量子束密度の値が０より大きく２０×１０１４未満の範囲であるときに、チャマダラメイガの捕虫数が高くなることが分かった。チャマダラメイガの捕虫数が高い光量子束密度の範囲は、０より大きく２０×１０１４未満の範囲に限らず、０より大きく１０×１０１４未満、０より大きく２×１０１４未満、０より大きく０．１×１０１４未満、０．１×１０１４以上２０×１０１４未満、０．１×１０１４以上１０×１０１４未満、０．１×１０１４以上２×１０１４未満、２×１０１４以上２０×１０１４未満、２×１０１４以上１０×１０１４未満、又は１０×１０１４以上２０×１０１４未満の範囲を含む。さらにチャマダラメイガの捕虫数が高い光量子束密度の値は、０．１×１０１４、２×１０１４、１０×１０１４の値を含む。一方で、例えば光量子束密度の値が２０×１０１４以上の値であるときには、チャマダラメイガの捕虫数は低くなることが分かった。【００９６】
図１０に示すように、例えば光量子束密度の値が０より大きく４０×１０１４未満の範囲であるときに、ノシメマダラメイガの捕虫数が大きくなることが分かった。ノシメマダラメイガの捕虫数が高い光量子束密度の範囲は、０より大きく４０×１０１４未満の範囲に限らず、０より大きく２０×１０１４未満、０より大きく１０×１０１４未満、０より大きく２×１０１４未満、０より大きく０．１×１０１４未満、０．１×１０１４以上４０×１０１４未満、０．１×１０１４以上２０×１０１４未満、０．１×１０１４以上１０×１０１４未満、０．１×１０１４以上２×１０１４未満、２×１０１４以上４０×１０１４未満、２×１０１４以上２０×１０１４未満、２×１０１４以上１０×１０１４未満、１０×１０１４以上４０×１０１４未満、１０×１０１４以上２０×１０１４未満、又は２０×１０１４以上４０×１０１４未満の範囲を含む。さらにノシメマダラメイガの捕虫数が高い光量子束密度の値は、０．１×１０１４、２×１０１４、１０×１０１４、２０×１０１４の値を含む。一方で、例えば光量子束密度の値が４０×１０１４以上の値であるときには、ノシメマダラメイガの捕虫数は小さくなることが分かった。【００９７】
また、本試験では、比較例として、市販されている捕虫器（ムシポン：登録商標、ＭＰ−３０１、ベンハーはかり株式会社製、第２の試験用捕獲器１ｂ）を用いた試験を行った。図８に、本試験で用いた第２の試験用捕獲器１ｂの構成の概略を模式図として示す。なお、第２の試験用捕獲器１ｂは、光源１１と、支持部材３０の形状とが異なること以外、第１の試験用捕獲器１ａと同様である。第２の試験用捕獲器１ｂの光源１１（第２の光源１１ｂ）は、定格消費電力が３０Ｗであり、紫外光を放射できる捕虫器用蛍光管（捕虫用蛍光ランプ、ＦＬ３０ＳＢＬ、東芝ライテック社製）である。また、第２の試験用捕獲器１ｂの放射強度は、上述したように算出された光量子束密度の値が５０×１０１４となる放射強度であった。図９及び図１０に本試験の結果を第１の試験例における試験結果と共に示す。図９及び図１０に示すように、市販品の光量子束密度の値が５０×１０１４となる放射強度では、チャマダラメイガ及びノシメマダラメイガの捕虫数は小さいことが確認された。【００９８】
以上のことから、放射照度（光量子束密度）の値が低い場合にはマダラメイガが捕獲されやすいが、放射照度（光量子束密度）の値が高い場合にはマダラメイガが捕獲されにくいことが示された。また、第１の試験用捕獲器１ａ及び第２の試験用捕獲器１ｂにおいて、捕獲部２０は、光源部１０の近傍に配置されている。したがって、本試験の結果は、捕獲部２０の近傍に高い放射照度（光量子束密度）の領域である行動抑制領域が存在するとき、マダラメイガの捕虫数が減少するとも評価できる。マダラメイガ成虫を誘引光によって誘引して、誘引光の射出端の近傍に配置された捕獲部材によって捕獲する際には、マダラメイガ成虫に照射される誘引光の強度を、０より大きく４０×１０１４未満、０より大きく２０×１０１４未満、０より大きく１０×１０１４未満、０より大きく２×１０１４未満、０より大きく０．１×１０１４未満、０．１×１０１４以上４０×１０１４未満、０．１×１０１４以上２０×１０１４未満、０．１×１０１４以上１０×１０１４未満、０．１×１０１４以上２×１０１４未満、２×１０１４以上４０×１０１４未満、２×１０１４以上２０×１０１４未満、２×１０１４以上１０×１０１４未満、１０×１０１４以上４０×１０１４未満、１０×１０１４以上２０×１０１４未満、又は２０×１０１４以上４０×１０１４未満の範囲のうち何れかの範囲とすることが好ましい。さらに好ましくは、０より大きく２０×１０１４未満、０より大きく１０×１０１４未満、０より大きく２×１０１４未満、０より大きく０．１×１０１４未満、０．１×１０１４以上２０×１０１４未満、０．１×１０１４以上１０×１０１４未満、０．１×１０１４以上２×１０１４未満、２×１０１４以上２０×１０１４未満、２×１０１４以上１０×１０１４未満、又は１０×１０１４以上２０×１０１４未満の範囲のうち何れかの範囲である。また、捕獲部材の近傍の光量子束密度の値は、０．１×１０１４、２×１０１４、１０×１０１４、２０×１０１４のうち何れかの値を含み、好ましくは、０．１×１０１４、２×１０１４、１０×１０１４のうち何れかの値を含む。【００９９】
［試験例２］
試験例１に係る試験の結果が示すように、高い放射強度で光源部１０が誘引光を射出したとき、すなわち、高い放射照度（光量子束密度）の領域が存在するとき、マダラメイガの捕虫数は減少する。そこで本試験では、放射照度（光量子束密度）の大きさとマダラメイガの活動との関係を明らかとするために、複数の放射照度（光量子束密度）の環境下におけるマダラメイガの挙動を観察した。【０１００】
図１１は、本試験に係る試験領域の概要を示す。図１１に示すように、試験領域には、供試虫が配置されている観察領域と、当該観察領域へ誘引光（紫外光）を照射する光源１１と、当該観察領域へ照明光を照射する照明装置５０とが設けられている。照明装置５０として、ＵＶカットスリーブ（ＵＶ  Ｇｕａｒｄ、富士フィルム社製）が装着された蛍光管（パナソニック社製、ＦＬ２０ＷＳ）を用いた。試験領域は、試験領域外から光が入射しないように構成されている。【０１０１】
観察領域には、供試虫を観察領域内に配置するために、シャーレが配置されている。シャーレは、高さ１．５ｃｍ、直径４ｃｍの円形であり、上部にはフタが設けられている。シャーレは、観察領域内に、光源１１から離れる方向に５列、光源から離れる方向と直交する方向に４列となるように配置されている。【０１０２】
光源１１は、観察領域の一端から５ｃｍ離れ、観察領域の底面から１０ｃｍ高い位置に配置されている。また、光源１１の射出端（射出面）と観察領域の中心との距離は１５ｃｍである。光源１１として、試験例１において上述した第１の光源１１ａを用いた。【０１０３】
照明装置５０は、観察領域の上方に配置されている。照明装置５０の射出する照明光は、日光を模した白色光である。照明装置５０の射出する照明光によって、観察領域を明期としたり、暗期としたりできる。【０１０４】
本試験では、ビデオ撮影をして、各々のシャーレ内に配置されたマダラメイガの挙動を観察した。チャマダラメイガの活動は暗期に活発になるため、明期に限らず、暗期でも撮影を行った。暗期での撮影は、高感度カメラ（ＷＡＴ−２３２、ワテック社製）と、赤外線投光器（ＳＭ−１０４−８５０、ＨＯＧＡ社製）とを用いて行った。【０１０５】
本試験で用いた供試虫は、発生２４時間以内、かつ、既交尾のチャマダラメイガの雌雄各１０頭である。試供虫は、明期１４時間及び暗期１０時間の飼育条件で成虫になるまで飼育されたチャマダラメイガである。供試虫は、一頭ずつシャーレの内部に配置されている。【０１０６】
ここで、本試験の手順を説明する。まず、試験領域にチャマダラメイガを入れたシャーレを配置した。配置後、暗期開始直前に試験を開始し、ビデオ撮影を開始した。ビデオ撮影は、４日目まで継続して行う。試験開始の直後に暗期とした。暗期開始から１０時間後に、再び明期とした。明期条件は、照明光を観察領域全体へ照射して実現した。なお、明期において、照明装置が観察領域に照射する照明光の照度［ｌｕｘ］の値は、２００〜２５０であった。明期開始から１４時間後に、照明光の観察領域への照射を止めて再び暗期とした。これら明暗条件は、飼育条件に合わせて設定された。このようにして、本試験の間、明期と暗期とを繰り返した。試験開始３日目の暗期開始から１時間後に、紫外光を観察領域全体へ１０秒間照射した。その後、ビデオ撮影した結果を用いて、紫外光を観察領域へ照射する１０秒前まで活動していた個体のうち、何頭の個体が紫外光の照射後に活動を停止したかをカウントした。【０１０７】
図１２に本試験の結果を示す。図１２は、紫外光（誘引光）の強度とチャマダラメイガの活動停止割合との関係を示す度数分布である。図１２中に示すグラフにおいて、縦軸は活動停止割合を示し、横軸は光量子束密度を示す。ここで、活動停止割合は、紫外光を観察領域へ照射する１０秒前まで活動していた個体（直前活動個体）に占める、紫外光の照射後に活動を停止した個体（活動停止個体）の割合である。【０１０８】
図１２に示すように、活動停止割合（活動停止個体数／直前活動個体数）は、光量子束密度の値が０．１×１０１４のときは（６／１６）であり、２×１０１４、１０×１０１４、２０×１０１４、４０×１０１４、６０×１０１４、７５×１０１４、１００×１０１４のときは、それぞれ、（８／１０）、（６／９）、（７／８）、（１１／１２）、（１０／１１）、（１０／１１）、（１４／１４）である。このように、チャマダラメイガは、光量子束密度の値が２０×１０１４以上の場合には、紫外光（誘引光）によって約９割の個体が活動を停止することが分かる。【０１０９】
以上のことから、チャマダラメイガを含むマダラメイガは、所定の値以上の放射照度（光量子束密度）の環境（行動抑制領域）において行動が抑制されることが示された。このように、マダラメイガは、誘引光に誘引される性質と、行動抑制領域において行動抑制が生じる性質とを有することが示された。行動抑制領域における光量子束密度の値の範囲は、例えば２０×１０１４以上である。【０１１０】
一方で、チャマダラメイガを含むマダラメイガは、所定の値未満の放射照度（光量子束密度）の環境（非行動抑制領域）においては行動が抑制されにくいことが示された。すなわち、誘引光に誘引されたマダラメイガ成虫が捕獲部材へ到達するまでの移動経路上の領域（移動領域）が非行動抑制領域内にあれば、又は非行動抑制領域が移動領域内にあれば、マダラメイガ成虫を捕獲できる可能性が示唆された。ここで、誘引光の射出端の高さと床面との間の領域内のうち、非行動抑制領域内、かつ、移動領域内にある領域を案内経路とすると、本試験の結果は、案内経路内であれば、ライトトラップを用いてマダラメイガ成虫を捕獲できる可能性を示唆するものと表現できる。本試験結果によれば、非行動抑制領域における光量子束密度の値の範囲は、例えば０より大きく２０×１０１４未満、０より大きく１０×１０１４未満、０より大きく２×１０１４未満、０より大きく０．１×１０１４未満、０．１×１０１４以上２０×１０１４未満、０．１×１０１４以上１０×１０１４未満、０．１×１０１４以上２×１０１４未満、２×１０１４以上２０×１０１４未満、２×１０１４以上１０×１０１４未満、１０×１０１４以上２０×１０１４未満の範囲のうち何れかの範囲である。また、非行動抑制領域における光量子束密度の値は、０．１×１０１４、２×１０１４、１０×１０１４のうち何れかの値を含む。【０１１１】
［試験例３］
一般に、マダラメイガの被害が問題となる倉庫等は、比較的広い空間であることが多い。したがって、倉庫等で広範囲に分布するマダラメイガを誘引して捕獲したい場合には、遠くまで誘引光が到達するように、高い放射強度で誘引光を射出する必要がある。一方で、高い放射強度で誘引光が射出された場合には、誘引光に誘引されたマダラメイガの移動経路上に行動抑制領域が生じ得る。移動領域が行動抑制領域内にある場合、マダラメイガの捕獲は困難となる。そこで、案内経路を形成する際に要求される誘引光の射出特性を明らかとすることを目的として、誘引光に誘引されたマダラメイガの移動経路（移動領域）について検討した。【０１１２】
図１３は、本試験に用いた第１の試験領域Ａ１（倉庫）の構成を上方から見た平面図を示す。図１３に示すように、第１の試験領域Ａ１の奥行き（Ｘ方向）は２２．５ｍであり、床面積は約４２５ｍ２である。第１の試験領域Ａ１のＸ−側の壁面には、捕獲器がＸ＋方向に誘引光を射出可能に配置されている。第１の試験領域Ａ１は、窓のない空の倉庫であり、試験領域外から光が入射しない構成である。捕獲器が配置されている位置からＸ＋方向（誘引光の射出方向）に５ｍ離れた位置には、第１の放飼地点Ｒ１が設けられている。同様に、捕獲器１からＸ＋方向に１０ｍ、２０ｍ離れた位置には、それぞれ、第２の放飼地点Ｒ２、第３の放飼地点Ｒ３が設けられている。【０１１３】
本試験は、上述した第１の試験領域Ａ１に第３の試験用捕獲器１ｃを配置して行った。第３の試験用捕獲器１ｃは、捕獲器の下端が床面に接するように配置されている。【０１１４】
ここで、第３の試験用捕獲器１ｃの構成の概略について正面図（上）と側面図（下）とを並べて模式図として図１４に示す。第３の試験用捕獲器１ｃは、光源１１及び絞り部１３（光学素子１２）を具備する光源部１０と、中央捕獲部２３を具備する捕獲部２０と、支持部材３０とを備える。図１４に示すように、第３の試験用捕獲器１ｃは、光源１１の近傍、かつ、周囲（Ｙ−Ｚ面）に中央捕獲部２３が配置された構成を有する。中央捕獲部２３の捕獲部材は、中央捕獲部２３のＸ＋側に配置されている。捕獲部材は、１ｍ角の交換可能な粘着紙である。第３の試験用捕獲器１ｃの備える第３の光源１１ｃ（光源１１）は、紫外光を放射できる蛍光管（２０Ｗ、ＦＬ２０ＳＢＬ、東芝ライテック社製）である。第３の光源１１ｃの放射する光線（誘引光）の中心波長は、３７５〜３８０ｎｍである。第３の試験用捕獲器１ｃの備える絞り部１３（第１の絞り部１３ａ）は、光源１１の放射する誘引光の放射面がスリット状になるように、光源１１を覆うものである。第１の絞り部１３ａとして、アルミ箔を用いた。第１の絞り部１３ａのスリット（開口部）は、幅が１ｃｍであり、Ｘ＋方向を向いている。【０１１５】
本試験で用いた試験対象（供試虫）は、雌雄各５０頭のチャマダラメイガである。【０１１６】
本試験の手順を説明する。まず、捕獲部２０に粘着紙を取り付けた。その後、供試虫１００頭を、第１の試験領域Ａ１の第２の放飼地点Ｒ２より同時放飼した。放飼後、光源部１０に所定の放射強度で誘引光を射出させた。所定時間後に粘着紙を回収し、粘着紙に捕獲された供試虫の頭数をカウントした。なお、本試験では、放飼後２日目に回収する手順での試験と、放飼後３日目に回収する手順での試験とを行った。【０１１７】
また、本試験では、比較例として、同条件の下、第４の試験用捕獲器１ｄを用いた試験を行った。第４の試験用捕獲器１ｄは、絞り部１３（第１の絞り部１３ａ）を具備しないこと以外は第３の試験用捕獲器１ｃと同様である。【０１１８】
図１５及び図１６に本試験の結果を示す。図１５及び図１６は、それぞれ、第３の試験用捕獲器１ｃを用いた場合と、第４の試験用捕獲器１ｄを用いた場合のチャマダラメイガの捕虫数の分布を示す。【０１１９】
図１５に示すように、捕虫分布は、光源１１の誘引光の放射端の下側に偏りを有する。一方で、図１６に示すように、放射照度が抑えられた領域が存在しない場合には捕虫数が低く、かつ、捕虫分布には偏りが見られない。【０１２０】
以上のことから、誘引光に誘引されているマダラメイガ（チャマダラメイガ）の移動経路は、誘引光の射出端（光源１１）に対して下側（Ｚ−側）から、誘引光の射出端へ向かって飛翔する経路である可能性が示唆された。【０１２１】
［試験例４］
［試験例４−１］
試験例３の試験結果によれば、マダラメイガ（チャマダラメイガ）は、光源（射出端）の直近において、射出端の下側から射出端に向かって上昇（飛翔）する可能性が示唆された。一方で、光源（射出端）の直近までの移動経路（移動領域）は未だ解明されていない。そこで、案内経路を形成する際に要求される誘引光の射出特性を明らかとすることを目的として、誘引光に誘引されたマダラメイガの移動経路（移動領域）についてさらに検討した。【０１２２】
図１７は、本試験について説明するための図である。図１７に示すように、本試験例に係る試験領域は、試験例１で用いた試験領域である。本試験例に係る第５の試験用捕獲器１ｅは、図３を参照して上述した第２の実施形態に係る捕獲器１と同様の構成と、捕獲部材を具備する水平置き捕獲部２４とを備える。第５の試験用捕獲器１ｅと第２の実施形態に係る捕獲器１とは、光学素子１２（絞り部１３）の構成と、光源１１の配置も異なる。第５の試験用捕獲器１ｅは、試験領域の中央に、下端の高さが床から９０ｃｍとなるように配置されている。【０１２３】
第５の試験用捕獲器１ｅの備える第４の光源１１ｄ（光源１１）は、定格消費電力が４Ｗであり、紫外光を放射できる蛍光管（ＦＬ４ＢＬＢ、東芝製）である。図１８に、第４の光源１１ｄの分光分布を示す。図１８中に示すグラフは、縦軸が波長あたりの放射照度[μＷ／ｃｍ２／ｎｍ]であり、横軸が波長[ｎｍ]である。図１８に示す放射照度は、光学素子１２を設けていない状態で、図２に示す計測位置ＭＰで計測された値である。第４の光源１１ｄの放射する光線（誘引光）の中心（ピーク）波長は、図１８に示すように、約３５０ｎｍである。第４の光源１１ｄの放射する光線（誘引光）の射出端に正対して１５ｃｍ離れた計測位置ＭＰにおける光量子束密度は、４２．３×１０１４ｐｈｏｔｏｎｓ／ｍ２／ｓであった。第４の光源１１ｄの放射する光線（誘引光）の指向特性は、第４の光源１１ｄが直管形の蛍光管であることから第４の光源１１ｄの周方向に同様（Ｚ方向に無指向性）である。第４の光源１１ｄは、第２の実施形態に係る捕獲器１とは異なり、中央捕獲部２３のＸ＋側に配置されている。【０１２４】
第５の試験用捕獲器１ｅの備える第２の絞り部１３ｂ（ピンホール、光学素子１２）は、開口部が設けられたアルミホイルである。第２の絞り部１３ｂは、第４の光源１１ｄを覆うように配置されている。第２の絞り部１３ｂの開口部の形状は、略円形である。第２の絞り部１３ｂの開口部の面積は、３ｍｍ２である。第２の絞り部１３ｂで覆われた第４の光源１１ｄは、開口部が中央捕獲部２３の中心になるように、中央捕獲部のＸ＋側の面に配置されている。【０１２５】
第５の試験用捕獲器１ｅの備える中央捕獲部２３の捕獲部材は、中央捕獲部２３のＸ＋側に配置されている。捕獲部材は、５０ｃｍ角の交換可能な粘着紙である。第５の試験用捕獲器１ｅの備える水平置き捕獲部２４の捕獲部材は、水平置き捕獲部２４のＺ＋側に配置されている。捕獲部材は、５０ｃｍ角の交換可能な粘着紙である。第５の試験用捕獲器１ｅの備える水平置き捕獲部２４は、中央捕獲部２３の下方、床面上に配置されている。【０１２６】
本試験例に係る第６の試験用捕獲器１ｆは、水平置き捕獲部２４の捕獲部材が床面から３０ｃｍの高さに配置されていること以外、第５の試験用捕獲器１ｅと同じである。【０１２７】
本試験例に係る第７の試験用捕獲器１ｇは、水平置き捕獲部２４の捕獲部材が床面から５０ｃｍの高さに配置されていること以外、第５の試験用捕獲器１ｅと同じである。【０１２８】
本試験例に係る第８の試験用捕獲器１ｈは、水平置き捕獲部２４の捕獲部材が床面から８０ｃｍの高さに配置されていること以外、第５の試験用捕獲器１ｅと同じである。【０１２９】
本試験で用いた試験対象（供試虫）は、雌雄各５０頭のチャマダラメイガである。【０１３０】
本試験の手順を説明する。まず、捕獲部２０に粘着紙を取り付けた。その後、供試虫１００頭を、放飼地点Ｒ０より同時放飼した。放飼後、光源部１０に所定の放射強度で誘引光を射出させた。誘引光の射出開始から２３時間後に粘着紙を回収し、粘着紙に捕獲された供試虫の頭数をカウントした。なお、本試験では、第５の試験用捕獲器１ｅ、第６の試験用捕獲器１ｆ、第７の試験用捕獲器１ｇ及び第８の試験用捕獲器１ｈの各々の捕獲器毎に、それぞれ上述の手順で試験を行った。【０１３１】
図１９に本試験の結果を示す。図１９は、チャマダラメイガの捕虫数と水平置き捕獲部２４の捕獲部材の高さとの関係を示す。図１９において、横軸は捕獲面の高さを示し、縦軸は捕虫割合を示す。【０１３２】
図１９に示すように、水平置き捕獲部２４の捕獲部材の高さが０ｃｍであるときの捕虫割合は、水平置き捕獲部２４の捕獲部材の高さが３０ｃｍ、５０ｃｍ及び８０ｃｍであるときの捕虫割合の約２倍であった。このことから、チャマダラメイガを含むマダラメイガは、誘引光に誘引されて射出端へ向かうとき、床面と、床面から３０ｃｍの高さとの間の領域を移動（飛翔又は歩行）することが示唆された。また、床面から３０ｃｍの範囲を射出端の下方付近まで移動した後に、射出端に向かって飛翔（移動）することが示唆された。ここで、第５の試験用捕獲器１ｅの備える水平置き捕獲部２４の捕獲部材のＸ＋側の端は、射出端の直下からＸ＋側に２５ｃｍの位置であったことから、上述の射出端の下方付近は、射出端から床面と平行に２５ｃｍ以内の範囲であると言える。以上のことから、マダラメイガの移動領域は、射出端が配置されている面から床面と略平行に２５ｃｍ以内の領域及び床面からの高さが３０ｃｍ以内の領域である、と表現できる。【０１３３】
［試験例４−２］
試験例４−１では、マダラメイガの一例として、チャマダラメイガに関する移動経路（移動領域）について検討した。一方で、マダラメイガは、チャマダラメイガに限らず、ノシメマダラメイガやスジマダラメイガ、スジコナマダラメイガを含む。そこで、本試験例では、ノシメマダラメイガ、スジマダラメイガ及びスジコナマダラメイガに関する移動経路（移動領域）についてさらに検討した。【０１３４】
本試験例に係る各種の試験条件は、試供虫の種類及び試験ごとの頭数が異なること以外は、試験例４−１と同じである。本試験で用いた試験対象（供試虫）は、雌雄各２５頭のノシメマダラメイガ、スジマダラメイガ及びスジコナマダラメイガである。本試験は、ノシメマダラメイガ、スジマダラメイガ及びスジコナマダラメイガのそれぞれに関して行った。【０１３５】
図２０にノシメマダラメイガに関する本試験の結果を示す。図２０は、ノシメマダラメイガの捕虫数と水平置き捕獲部２４の捕獲面の高さとの関係を示す。図２０において、横軸は捕獲面の高さを示し、縦軸は捕虫割合を示す。図２０に示すように、水平置き捕獲部２４の捕獲面の高さが０ｃｍであるときの捕虫割合は、水平置き捕獲部２４の捕獲面の高さが３０ｃｍ、５０ｃｍ及び８０ｃｍであるときの捕虫割合の約３倍であった。このことから、ノシメマダラメイガは、誘引光に誘引されて射出端へ向かうとき、床面と、床面から３０ｃｍの高さとの間の領域を移動（飛翔又は歩行）することが示唆された。また、床面から３０ｃｍの範囲を射出端の下方付近まで移動した後に、射出端に向かって飛翔（移動）することが示唆された。ここで、第５の試験用捕獲器１ｅの備える水平置き捕獲部２４の捕獲部材のＸ＋側の端は、射出端の直下からＸ＋側に２５ｃｍの位置であったことから、上述の射出端の下方付近は、射出端から床面と平行に２５ｃｍ以内の範囲であると言える。以上のことから、ノシメマダラメイガの移動領域は、射出端が配置されている面から床面と略平行に２５ｃｍ以内の領域及び床面からの高さが３０ｃｍ以内の領域である、と表現できる。【０１３６】
図２１にスジマダラメイガに関する本試験の結果を示す。図２１は、スジマダラメイガの捕虫数と水平置き捕獲部２４の捕獲面の高さとの関係を示す。図２１において、横軸は捕獲面の高さを示し、縦軸は捕虫割合を示す。図２１に示すように、水平置き捕獲部２４の捕獲面の高さが０ｃｍであるときの捕虫割合は、水平置き捕獲部２４の捕獲面の高さが３０ｃｍ、５０ｃｍ及び８０ｃｍであるときの捕虫割合のそれぞれ１．２５倍、２．５倍及び５倍であった。換言すれば、当該捕獲面の高さが０ｃｍ又は３０ｃｍであるときの捕虫割合は、当該捕獲面の高さが５０ｃｍ及び８０ｃｍであるときの捕虫割合の２倍以上であった。また、当該捕獲面の高さが０ｃｍであるときの捕虫割合は、当該捕獲面の高さが３０ｃｍであるときの捕虫割合よりさらに大きい。これらのことから、スジマダラメイガの移動領域は、チャマダラメイガ及びノシメマダラメイガと同様に、射出端が配置されている面から床面と略平行に２５ｃｍ以内の領域及び床面からの高さが３０ｃｍ以内の領域を含むことが示された。【０１３７】
ここで、図１７に示すように、捕獲面高さが３０ｃｍのとき、射出端が配置されている面から床面と略平行に２５ｃｍ以内の領域は、捕獲面と床面との間の領域である。当然のことながら、スジマダラメイガを含むマダラメイガは、物理的な干渉により、設置された捕獲面を通過できない。つまり、当該捕獲面の高さが３０ｃｍのとき、床面からの高さが３０ｃｍ以内と、射出端が配置されている面から床面と略平行に２５ｃｍ以内とのうち少なくとも一方を満たす領域は、捕獲面により分断されていた。このような中、スジマダラメイガに関する本試験において、捕獲面の高さが０ｃｍ又は３０ｃｍであるときの捕虫割合は、当該捕獲面の高さが５０ｃｍ及び８０ｃｍであるときの捕虫割合の２倍以上であった。つまり、スジマダラメイガに関する本試験では、当該捕獲面の高さが０ｃｍのときに加えて、当該捕獲面の高さが３０ｃｍのときにも捕虫割合が大きい。これらのことから、３０ｃｍの高さに設けられた水平置き捕獲部２４は、誘引光に誘引されて誘引光の射出端に向かって飛翔（移動）するスジマダラメイガの移動領域を分断していなかったことが示された。このように、スジマダラメイガに関する本試験の結果によれば、０ｃｍ及び３０ｃｍの高さに設けられた水平置き捕獲部２４は、射出端に向かって飛翔（移動）するスジマダラメイガの移動領域を床面側の領域と射出端側の領域とに分断していなかったことが示された。換言すれば、５０ｃｍ及び８０ｃｍの高さに設けられた水平置き捕獲部２４は、射出端に向かって飛翔（移動）するスジマダラメイガの移動領域を、床面側の領域と射出端側の領域とに分断していたことが示された。【０１３８】
上述したように、誘引光に誘引されたマダラメイガは、射出端の高さより下方から射出端へ向かって飛翔（移動）する。つまり、本試験例により示されたことから、以下のことがスジマダラメイガに関して示唆される。【０１３９】
スジマダラメイガは、例えば、誘引光に誘引されて射出端へ向かうとき、床面と、床面から５０ｃｍの高さとの間の領域を移動（飛翔又は歩行）することが示唆された。あるいは、スジマダラメイガは、例えば、誘引光に誘引されて射出端へ向かうとき、床面と、床面から３０ｃｍの高さとの間の領域を移動（飛翔又は歩行）したり、床面からの高さが３０ｃｍから５０ｃｍの間の領域を移動（飛翔）したりすることが示唆された。つまり、本考察によれば、誘引光に誘引されたスジマダラメイガは、床面から５０ｃｍの範囲を射出端の下方付近まで移動した後に、射出端に向かって飛翔（移動）すると考えられる。このとき、スジマダラメイガの移動領域は、射出端が配置されている面から床面と略平行に２５ｃｍ以内の領域及び床面からの高さが５０ｃｍ以内の領域である、と表現できる。換言すれば、スジマダラメイガの移動領域は、チャマダラメイガ及びノシメマダラメイガの移動領域と、床面からの高さが３０ｃｍから５０ｃｍの間の領域とを含む。【０１４０】
また、例えば、誘引光に誘引されたスジマダラメイガは、チャマダラメイガ及びノシメマダラメイガと比較して手前（放飼地点Ｒ０側）から射出端に向かって飛翔（移動）することが示唆された。具体的には、スジマダラメイガは、射出端が配置されている面から床面と略平行に２５ｃｍより手前（放飼地点Ｒ０側）から射出端に向かって飛翔（移動）していたと考えられる。ここで、簡単のために、誘引光に誘引されて射出端へ向かうスジマダラメイガは、略直線的に射出端へ向かって飛翔（移動）するとする。また、誘引光に誘引されて射出端へ向かうスジマダラメイガの上昇角（上昇勾配）を上昇角ＣＡ１とする。このとき、スジマダラメイガの移動領域は、５０ｃｍの高さに設けられた捕獲面のＸ＋側の辺とスジマダラメイガの上昇角ＣＡ１とに応じて決定される領域をさらに含むと表現できる。具体的には、スジマダラメイガの移動領域は、５０ｃｍの高さに設けられた捕獲面のＸ＋側の辺を通り、かつ、当該捕獲面とのなす角が上昇角ＣＡ１に等しい面（上昇角ＣＡ１に応じた面）より下方の領域をさらに含む。なお、上昇角ＣＡ１に応じた面上の任意の点に関して、床面からの高さは、Ｘ−側に向かうにつれて高くなるとする。以上のことから、本考察によれば、スジマダラメイガの移動領域は、射出端が配置されている面から床面と略平行に２５ｃｍ以内の領域と、床面からの高さが３０ｃｍ以内の領域と、上昇角ＣＡ１により規定される領域とを含む領域である、と表現できる。換言すれば、スジマダラメイガの移動領域は、チャマダラメイガ及びノシメマダラメイガの移動領域と、上昇角ＣＡ１により規定される領域とを含む。【０１４１】
図２２にスジコナマダラメイガに関する本試験の結果を示す。図２２は、スジコナマダラメイガの捕虫数と水平置き捕獲部２４の捕獲面の高さとの関係を示す。図２２において、横軸は捕獲面の高さを示し、縦軸は捕虫割合を示す。図２２に示すように、水平置き捕獲部２４の捕獲面の高さが０ｃｍであるときの捕虫割合は、水平置き捕獲部２４の捕獲面の高さが３０ｃｍ及び５０ｃｍであるときの捕虫割合のそれぞれ５倍及び２倍であった。このことから、スジコナマダラメイガの移動領域は、チャマダラメイガ、ノシメマダラメイガ及びスジマダラメイガと同様に、射出端が配置されている面から床面と略平行に２５ｃｍ以内の領域及び床面からの高さが３０ｃｍ以内の領域を含むことが示された。【０１４２】
ここで、図１７に示すように、捕獲面高さが８０ｃｍのとき、射出端が配置されている面から床面と略平行に２５ｃｍ以内の領域は、捕獲面と床面との間の領域である。当然のことながら、スジコナマダラメイガを含むマダラメイガは、物理的な干渉により、設置された捕獲面を通過できない。つまり、当該捕獲面の高さが８０ｃｍのとき、床面からの高さが３０ｃｍ以内と、射出端が配置されている面から床面と略平行に２５ｃｍ以内とのうち少なくとも一方を満たす領域は、捕獲面により分断されていた。このような中、スジコナマダラメイガに関する本試験において、捕獲面の高さが８０ｃｍであるときの捕虫割合は、捕獲面の高さが０ｃｍであるときの捕虫割合よりさらに高い。具体的には、捕獲面の高さが８０ｃｍであるときの捕虫割合は、捕獲面の高さが０ｃｍであるときの捕虫割合の１．３倍であった。つまり、スジコナマダラメイガに関する本試験では、当該捕獲面の高さが０ｃｍのときに加えて、当該捕獲面の高さが８０ｃｍのときにも捕虫割合が大きい。これらのことから、８０ｃｍの高さに設けられた水平置き捕獲部２４は、誘引光に誘引されて誘引光の射出端に向かって飛翔（移動）するスジコナマダラメイガの移動領域を分断していなかったことが示された。このように、スジコナマダラメイガに関する本試験の結果によれば、８０ｃｍ以下の高さに設けられた水平置き捕獲部２４は、射出端に向かって飛翔（移動）するスジコナマダラメイガの移動領域を床面側の領域と射出端側の領域とに分断していなかったことが示された。【０１４３】
上述したように、誘引光に誘引されたマダラメイガは、射出端の高さより下方から射出端へ向かって飛翔（移動）する。つまり、本試験例により示されたことから、以下のことがスジコナマダラメイガに関して示唆される。【０１４４】
スジコナマダラメイガは、例えば、誘引光に誘引されて射出端へ向かうとき、床面と、床面から８０ｃｍの高さとの間の領域を移動（飛翔又は歩行）することが示唆された。つまり、本考察によれば、誘引光に誘引されたスジコナマダラメイガは、床面から８０ｃｍの範囲を射出端の下方付近まで移動した後に、射出端に向かって飛翔（移動）すると考えられる。このとき、スジコナマダラメイガの移動領域は、射出端が配置されている面から床面と略平行に２５ｃｍ以内の領域及び床面からの高さが８０ｃｍ以内の領域である、と表現できる。換言すれば、スジコナマダラメイガの移動領域は、チャマダラメイガ及びノシメマダラメイガの移動領域と、床面からの高さが３０ｃｍから８０ｃｍの領域とを含む。【０１４５】
なお、捕獲面の高さが８０ｃｍであるとき、最も高い捕虫割合となったことと、射出端の高さが１１５ｃｍであったこととから、スジコナマダラメイガの移動領域は、射出端が配置されている面から床面と略平行に２５ｃｍ以内の領域及び床面からの高さが１１５ｃｍ以内の領域である、と表現されてもよい。【０１４６】
なお、捕獲面の高さが３０ｃｍ又は５０ｃｍであるときの捕虫割合は、当該捕獲面の高さが０ｃｍ及び８０ｃｍであるときの捕虫割合の０．５倍以下であった。このことから、誘引光に誘引されたスジコナマダラメイガは、例えば、誘引光に誘引されて射出端へ向かうとき、床面と、床面から３０ｃｍの高さとの間の領域を移動（飛翔又は歩行）したり、床面から５０ｃｍ以上の高さを移動（飛翔）したりすることが示唆された。つまり、スジコナマダラメイガの移動領域は、射出端が配置されている面から床面と略平行に２５ｃｍ以内の領域と、床面からの高さが３０ｃｍ以内の領域と、床面からの高さが５０ｃｍ以上８０ｃｍ又は１１５ｃｍ以下の領域である、と表現されてもよい。【０１４７】
また、例えば、誘引光に誘引されたスジコナマダラメイガは、チャマダラメイガ及びノシメマダラメイガと比較して手前（放飼地点Ｒ０側）から射出端に向かって飛翔（移動）することが示唆された。具体的には、スジコナマダラメイガは、射出端が配置されている面から床面と略平行に２５ｃｍより手前（放飼地点Ｒ０側）から射出端に向かって飛翔（移動）していたと考えられる。ここで、簡単のために、誘引光に誘引されて射出端へ向かうスジコナマダラメイガは、略直線的に射出端へ向かって飛翔（移動）するとする。また、誘引光に誘引されて射出端へ向かうスジコナマダラメイガの上昇角（上昇勾配）を上昇角ＣＡ２とする。このとき、スジコナマダラメイガの移動領域は、スジコナマダラメイガの上昇角ＣＡ２に応じて決定される領域をさらに含むと表現できる。以上のことから、本考察によれば、スジコナマダラメイガの移動領域は、射出端が配置されている面から床面と略平行に２５ｃｍ以内の領域と、床面からの高さが３０ｃｍ以内の領域と、上昇角ＣＡ２により規定される領域とを含む領域である、と表現できる。換言すれば、スジコナマダラメイガの移動領域は、チャマダラメイガ及びノシメマダラメイガの移動領域と、上昇角ＣＡ２により規定される領域とを含む。ここで、例えばスジマダラメイガの上昇角ＣＡ１とスジコナマダラメイガの上昇角ＣＡ２が同程度であるとすれば、誘引光に誘引されたスジコナマダラメイガは、スジマダラメイガと比較して手前（放飼地点Ｒ０側）から射出端に向かって飛翔（移動）することが示唆される。【０１４８】
以上説明したように、試験例４に関する考察によれば、マダラメイガの移動領域は、少なくとも、射出端が配置されている面から床面と略平行に２５ｃｍ以内の領域及び床面からの高さが３０ｃｍ以内の領域を含む。また、マダラメイガに関して、捕獲部材は、例えば、案内経路内の床面上又は床面から３０ｃｍ以下の高さに配置されればよい。【０１４９】
また、試験例４に関する考察によれば、マダラメイガの移動領域を分断しないように捕獲部材を配置すれば捕虫割合を向上できる。換言すれば、マダラメイガ成虫の誘引又は捕獲に要求される誘引光の射出特性（要求射出特性）は、捕獲部材によりマダラメイガの移動領域が分断されないように、案内経路を形成することを含む。【０１５０】
また、試験例４に関する考察によれば、スジマダラメイガ及びスジコナマダラメイガは、チャマダラメイガ及びノシメマダラメイガと比較して上方（床面からの高さが高い領域）を射出端に向かって飛翔（移動）すると考えられる。換言すれば、スジマダラメイガ及びスジコナマダラメイガの移動領域は、チャマダラメイガ及びノシメマダラメイガの移動領域と比較して床面からの高さが高い領域をさらに含む。【０１５１】
具体的には、スジマダラメイガの移動領域は、チャマダラメイガ及びノシメマダラメイガの移動領域に加えて、床面からの高さが３０ｃｍから５０ｃｍの間の領域をさらに含む。つまり、スジマダラメイガに関して、捕獲部材は、例えば、案内経路の床面上又は床面から５０ｃｍ以下の高さに配置されればよい。好ましくは、捕獲部材は、床面上と、床面から３０ｃｍの高さとに配置されればよい。また、具体的には、スジコナマダラメイガの移動領域は、チャマダラメイガ及びノシメマダラメイガの移動領域に加えて、床面からの高さが３０ｃｍから１１５ｃｍの領域をさらに含む。より好ましくは、スジコナマダラメイガの移動領域は、チャマダラメイガ及びノシメマダラメイガの移動領域に加えて、床面からの高さが３０ｃｍから８０ｃｍの領域又は床面からの高さが５０ｃｍから１１５ｃｍの領域をさらに含む。より好ましくは、スジコナマダラメイガの移動領域は、チャマダラメイガ及びノシメマダラメイガの移動領域に加えて、床面からの高さが５０ｃｍから８０ｃｍの領域をさらに含む。つまり、スジコナマダラメイガに関して、捕獲部材は、例えば、案内経路内の床面上又は床面から５０ｃｍ以上８０ｃｍ以下の高さに配置されればよい。なお、これら捕獲部材が配置される床面からの高さは、マダラメイガの移動領域の高さに応じて適宜選択されればよい。【０１５２】
また、試験例４に関する考察によれば、例えば、スジマダラメイガ及びスジコナマダラメイガは、チャマダラメイガ及びノシメマダラメイガと比較して手前（放飼地点Ｒ０側）から射出端に向かって飛翔（移動）すると考えられる。このため、スジマダラメイガ及びスジコナマダラメイガを捕獲する際には、射出端が配置されている面から略平行に２５ｃｍ以内の床面に限らず、さらに手前（放飼地点Ｒ０側）の床面に捕獲部材をさらに設けると効果的であると考えられる。このとき、捕獲部材は、１つの大きな捕獲面を有していてもよいし、複数の捕獲面を有していてもよい。【０１５３】
［試験例５］
［試験例５−１］
試験例１〜試験例４に係る試験結果が示すように、マダラメイガ成虫の誘引又は捕獲に要求される誘引光の射出特性（要求射出特性）は、光源１１の高さより下側に案内経路を形成することを含む。さらに好ましくは、要求射出特性は、広い範囲のマダラメイガ成虫を誘引できることをさらに含む。本試験例では、指向性を有する誘引光（狭角配光の誘引光）を射出する第１の実施形態に係る捕獲器１（第９の試験用捕獲器１ｉ）を用いて実施した捕獲試験について説明をする。【０１５４】
本試験例に係る試験領域は、図１３を参照して説明した第１の試験領域Ａ１である。本試験例に係る試験は、上述した第１の試験領域Ａ１のＸ−側の壁面に、Ｘ＋方向に誘引光を射出可能に第９の試験用捕獲器１ｉ（捕獲器１）を配置して行った。第９の試験用捕獲器１ｉは、捕獲器の下端が床面に接するように配置されている。【０１５５】
第９の試験用捕獲器１ｉは、図１を参照して上述した第１の実施形態に係る捕獲器１の構成を有する。光源部１０は、図１に示すように、光源１１（第５の光源１１ｅ）を備える。第５の光源１１ｅの支持部材３０の下端（第９の試験用捕獲器１ｉの下端）を基準とした高さは、２０ｃｍである。第５の光源１１ｅは、紫外光（誘引光）を射出できる発光ダイオード（ＮＳ３７５Ｌ−５ＲＬＯ、ナイトライド・セミコンダクター社製）である。【０１５６】
図２３に、第５の光源１１ｅの分光分布（放射強度の波長依存性）を示す。図２３中に示すグラフは、縦軸が波長あたりの放射照度[μＷ／ｃｍ２／ｎｍ]であり、横軸が波長[ｎｍ]である。図２３に示す放射照度は、第５の光源１１ｅの射出端に正対して１５ｃｍ離れた位置（図２に示す計測位置ＭＰ）で計測された値である。第５の光源１１ｅの放射する光線（誘引光）の中心波長（ピーク波長）は、図２３に実線で示すように、３７５〜３８０ｎｍである。第５の光源１１ｅによる計測位置ＭＰにおける光量子束密度[ｐｈｏｔｏｎｓ／ｍ２／ｓ]の値は、１８．９×１０１４であった。【０１５７】
図２４に、第５の光源１１ｅの指向特性を示す。第５の光源１１ｅの放射する光線（誘引光）の半値角は、図２４に実線で示すように、約１５°（狭角配光）である。ここで、半値角は、光軸と、光軸上の放射照度（光量子束密度）に対して５０％の放射照度（光量子束密度）となる光線方向との成す角度である。【０１５８】
捕獲部２０は、光源部１０の近傍に配置され、誘引光に誘引されたマダラメイガを捕獲する。捕獲部２０は、案内経路内に配置されている。本試験例に係る捕獲部２０は、図１に示すように、下側捕獲部２１と、上側捕獲部２２とを備える。下側捕獲部２１は、第５の光源１１ｅ（光源１１）の近傍、かつ、下側（Ｚ−側）に配置されている。下側捕獲部２１の中心は、第９の試験用捕獲器１ｉの下端から１０ｃｍの高さに配置されている。上側捕獲部２２は、第５の光源１１ｅの近傍、かつ、上側（Ｚ＋側）に配置されている。上側捕獲部２２の中心は、第９の試験用捕獲器１ｉの下端から３０ｃｍの高さに配置されている。下側捕獲部２１及び上側捕獲部２２のＸ＋側の面には、捕獲部材として、交換可能な粘着シートが配置されている。【０１５９】
また、本試験例では、比較例として、広角配光の誘引光を射出する第１０の試験用捕獲器１ｊ及び第１１の試験用捕獲器１ｋを用いた試験を行った。第１０の試験用捕獲器１ｊは、光源１１に第６の光源１１ｆを用いること以外は第９の試験用捕獲器１ｉと同じである。図２５は、第１１の試験用捕獲器１ｋの構成の概略について正面図（左）と側面図（右）とを並べて示す模式図である。第１１の試験用捕獲器１ｋは、図２５に示すように、光源１１に第７の光源１１ｇを用いること以外は第９の試験用捕獲器１ｉと同じである。【０１６０】
第６の光源１１ｆは、紫外光（誘引光）を射出できる広角配光に構成された発光ダイオード（ＮＳ３７５Ｌ−５ＲＦＳ、ナイトライド・セミコンダクター社製）である。第６の光源１１ｆの放射する光線（誘引光）の中心波長（ピーク波長）は、図２３に破線で示すように、３７５〜３８０ｎｍである。また、第６の光源１１ｆの計測位置ＭＰで計測した光線（誘引光）の光量子束密度は、１９．９×１０１４ｐｈｏｔｏｎｓ／ｍ２／ｓであった。第６の光源１１ｆの放射する光線（誘引光）の指向特性は、図２４に破線で示すように、半値角が約６５°の広角配光である。【０１６１】
第７の光源１１ｇは、定格消費電力が３０Ｗであり、紫外光（誘引光）を射出できる捕虫器用蛍光管（捕虫用蛍光ランプ、ＦＬ３０ＳＢＬ、東芝ライテック社製）である。ここで、第７の光源１１ｇは、第２の光源１１ｂと同一の蛍光管である。一方で、駆動（誘引光の射出）のために印加された電力値は異なる。このため、第２の光源１１ｂと第７の光源１１ｇとは異なる光源１１として記載されている。図２６に、第７の光源１１ｇの分光分布を示す。図２６中に示すグラフは、縦軸が波長あたりの放射照度[μＷ／ｃｍ２／ｎｍ]であり、横軸が波長[ｎｍ]である。図２６に示す放射照度は、図２に示す計測位置ＭＰで計測された値である。第７の光源１１ｇの放射する光線（誘引光）の中心（ピーク）波長は、図２６に示すように、約３５０ｎｍである。第７の光源１１ｇによる計測位置ＭＰにおける光量子束密度[ｐｈｏｔｏｎｓ／ｍ２／ｓ]の値は、３７．５×１０１４であった。第７の光源１１ｇの放射する光線（誘引光）の指向特性は、第７の光源１１ｇが直管形の蛍光管であることから第７の光源１１ｇの周方向に同様（Ｚ方向に無指向性）である。【０１６２】
本試験で用いた供試虫は、雌雄各６０頭のチャマダラメイガ及びノシメマダラメイガである。供試虫は、第１の放飼地点Ｒ１、第２の放飼地点Ｒ２及び第３の放飼地点Ｒ３から、雌雄各２０頭ずつ放飼される。試験に先立って、何れの放飼地点から放飼されたか判別できるように、供試虫に、各放飼地点毎に異なる色の蛍光顔料を用いてマーキングを施した。【０１６３】
ここで、本試験の手順を説明する。まず、捕獲部２０に粘着紙を取り付けた。その後、供試虫１２０頭を、各々の放飼地点から同時放飼した。放飼後、光源部１０に所定の放射強度で１０時間、誘引光を射出させた。誘引光の射出を開始してから１０時間後に粘着紙を回収し、粘着紙に捕獲された供試虫の頭数をカウントした。これらの手順を、第９の試験用捕獲器１ｉ、第１０の試験用捕獲器１ｊ及び第１１の試験用捕獲器１ｋに対して、捕獲器毎に実施した。【０１６４】
図２７及び図２８に本試験の結果を示す。図２７及び図２８は、それぞれ、放飼地点別のチャマダラメイガの捕虫割合及び放飼地点別のノシメマダラメイガの捕虫割合を示す。図２７及び図２８において、横軸は放飼位置の誘引光の射出端（捕獲器１）からの距離を示し、縦軸は捕虫割合を示す。【０１６５】
図２７及び図２８に示すように、第１０の試験用捕獲器１ｊ及び第１１の試験用捕獲器１ｋの捕虫割合は、放飼位置やマダラメイガの種によらず、低い傾向が示された。一方で、第９の試験用捕獲器１ｉの捕虫割合は、他の捕獲器と比較して高い。また、第９の試験用捕獲器１ｉの捕虫割合は、捕獲器に近い第１の放飼地点Ｒ１で放飼されたマダラメイガに対して、特に高い値を示している。【０１６６】
ここで、第９の試験用捕獲器１ｉから射出される誘引光によって形成される行動抑制領域、非行動抑制領域及び案内経路について、図２を参照してより詳細に説明をする。なお、図２では、第５の光源１１ｅと、第６の光源１１ｆとの配光角θ／２を、それぞれ、狭角配光角θｎ／２と、広角配光角θｗ／２と示している。ここで、配光角は、光軸と、誘引光の放射照度（光量子束密度）が行動抑制光量となる光線方向との成す角度である。【０１６７】
図２に示すように、光源部１０の射出端（光源１１）は、床面３から２０ｃｍの高さで、壁面２に配置されている。図２には、光源部１０の射出端に正対して１５ｃｍ離れた放射照度の計測位置ＭＰと、計測位置ＭＰの床面３上の投影位置ＩＰとが示されている。投影位置ＩＰは、誘引光の放射端を基準として、誘引光（光源部１０）の光軸からＺ−方向に５３°外れた方向にある床面３上の点であるとも表現できる。【０１６８】
図２４に実線で示すように、第５の光源１１ｅの放射する光線（誘引光）の放射照度（光量子束密度）が０．５未満（５０％未満）となる放射角度（半値角）は１５°以上である。また、投影位置ＩＰにおける放射照度（光量子束密度）は、計測位置ＭＰで計測された放射照度（光量子束密度）に対して０．０５倍程度である。一方で、図２４に破線で示すように、第６の光源１１ｆの放射する光線（誘引光）の放射照度（光量子束密度）が０．５未満（５０％未満）となる放射角度（半値角）は６０°（広角配光角θｗ／２）以上である。また、投影位置ＩＰにおける放射照度は、計測位置ＭＰで計測された放射照度に対して０．７倍程度である。【０１６９】
ここで、計測位置ＭＰで計測された第５の光源１１ｅ及び第６の光源１１ｆの光量子束密度は、共に約２０×１０１４ｐｈｏｔｏｎｓ／ｍ２／ｓであった。また、マダラメイガ成虫に行動抑制が生じる割合が低い光量子束密度は、２０×１０１４ｐｈｏｔｏｎｓ／ｍ２／ｓ未満であり、例えば、１０×１０１４ｐｈｏｔｏｎｓ／ｍ２／ｓ以下である。なお、第７の光源１１ｇの放射する光線は、図２６を参照して上述したように、計測位置ＭＰで計測された光量子束密度が約４０×１０１４ｐｈｏｔｏｎｓ／ｍ２／ｓであり、指向性を有してもいない。【０１７０】
したがって、図４の行動抑制領域ＳＡ１のように、第５の光源１１ｅの光軸から１５°（狭角配光角θｎ／２）以内の領域では、光量子束密度の値は、１０×１０１４ｐｈｏｔｏｎｓ／ｍ２／ｓ以上の行動抑制領域ＳＡとなる。一方で、図２の非行動抑制領域ＷＡ１のように、誘引光の放射端を基準として、第５の光源１１ｅの光軸から１５°（狭角配光角θｎ／２）以上外れた投影位置ＩＰにおける光量子束密度の値は、１０×１０１４ｐｈｏｔｏｎｓ／ｍ２／ｓ未満となる。同様に、第６の光源１１ｆの光軸から６０°以上外れた、計測位置ＭＰと投影位置ＩＰとを通る直線上の領域では、光量子束密度の値が１０×１０１４ｐｈｏｔｏｎｓ／ｍ２／ｓ以下となる。なお、第６の光源１１ｆの光軸から５３°（限界配光角θｃ／２）以上外れるとき、誘引光の形成する行動抑制領域は、床面３と接することとなる。【０１７１】
すなわち、投影位置ＩＰは、第９の試験用捕獲器１ｉが形成する行動抑制領域ＳＡ１の領域外であって、第１０の試験用捕獲器１ｊが形成する行動抑制領域ＳＡ２及び第１１の試験用捕獲器１ｋが形成する行動抑制領域の領域内である。同様に、投影位置ＩＰは、第９の試験用捕獲器１ｉが形成する非行動抑制領域ＷＡ１の領域内であって、第１０の試験用捕獲器１ｊが形成する非行動抑制領域ＷＡ２及び第１１の試験用捕獲器１ｋが形成する非行動抑制領域の領域外である。すなわち、第９の試験用捕獲器１ｉは、上述した要求射出特性を満たし、行動抑制境界面ＩＢの上側に行動抑制領域を形成し、下側に非行動抑制領域を形成することができる。一方で、第１０の試験用捕獲器１ｊ及び第１１の試験用捕獲器１ｋは、上述した要求射出特性を満たさず、行動抑制境界面ＩＢの下側に案内経路を形成することができない。【０１７２】
以上のことから、上述した要求射出特性を満たし、光源の高さより下側に案内経路を形成することができる捕獲器１は、マダラメイガ成虫の誘引及び捕獲に有効であると示された。また、第１の捕獲器は、行動抑制境界面の上側に行動抑制領域を形成し、広範囲のマダラメイガ成虫を誘引できる。【０１７３】
［試験例５−２］
試験例５−１では、マダラメイガの一例として、チャマダラメイガ及びノシメマダラメイガに関して、指向性を有する誘引光を用いて実施した捕獲試験について説明をした。一方で、マダラメイガは、チャマダラメイガ及びノシメマダラメイガに限らず、スジマダラメイガやスジコナマダラメイガを含む。そこで、本試験例では、スジマダラメイガ及びスジコナマダラメイガに関して、指向性を有する誘引光（狭角配光の誘引光）を射出する第１の実施形態に係る捕獲器１（第９の試験用捕獲器１ｉ）を用いて実施した捕獲試験について説明をする。【０１７４】
本試験例に係る各種の試験条件は、試験領域と、試供虫の種類及び頭数と、放飼後の誘引光の照射時間とが異なること以外は、試験例５−１と同じである。【０１７５】
図２９は、本試験例で捕獲試験を実施した試験例５−２に係る試験領域Ａ１´の構成を上方から見た平面図を示す。図２９に示すように、試験例５−２に係る試験領域Ａ１´の奥行き（Ｘ方向）は３０ｍであり、床面積は４５０ｍ２である。捕獲器１からＸ＋方向（誘引光の射出方向）に５ｍ離れた位置には、試験例５−２に係る第１の放飼地点Ｒ１´が設けられている。同様に、捕獲器１からＸ＋方向に１５ｍ及び２５ｍ離れた位置には、それぞれ、試験例５−２に係る第２の放飼地点Ｒ２´及び試験例５−２に係る第３の放飼地点Ｒ３´が設けられている。試験例５−２に係る試験領域Ａ１´のＸ−側の壁面には、第９の試験用捕獲器１ｉ（捕獲器１）がＸ＋方向に誘引光を射出可能に配置されている。第９の試験用捕獲器１ｉは、捕獲器の下端が床面に接するように配置されている。また、本試験例でも、比較例として、広角配光の誘引光を射出する第１０の試験用捕獲器１ｊ及び第１１の試験用捕獲器１ｋを用いた試験を行った。【０１７６】
本試験で用いた供試虫は、雌雄各７５頭のスジマダラメイガ及びスジコナマダラメイガである。本試験は、スジマダラメイガ及びスジコナマダラメイガに関して同時に行った。供試虫は、それぞれ、試験例５−２に係る第１の放飼地点Ｒ１´、試験例５−２に係る第２の放飼地点Ｒ２´及び試験例５−２に係る第３の放飼地点Ｒ３´から、雌雄各２５頭ずつ放飼される。試験に先立って、何れの放飼地点から放飼されたか判別できるように、供試虫に、各放飼地点毎に異なる色の蛍光顔料を用いてマーキングを施した。なお、捕獲された試供虫がスジマダラメイガとスジコナマダラメイガとのうちいずれの種であるかは、見た目から容易に判別できる。【０１７７】
ここで、本試験の手順を説明する。まず、捕獲部２０に粘着紙を取り付けた。その後、供試虫３００頭を、各々の放飼地点から同時放飼した。放飼後、光源部１０に所定の放射強度で２４時間、誘引光を射出させた。誘引光の射出を開始してから２４時間後に粘着紙を回収し、粘着紙に捕獲された供試虫の頭数を種ごとにカウントした。これらの手順を、第９の試験用捕獲器１ｉ、第１０の試験用捕獲器１ｊ及び第１１の試験用捕獲器１ｋに対して、捕獲器毎に実施した。【０１７８】
図３０及び図３１に本試験の結果を示す。図３０及び図３１は、それぞれ、放飼地点別のスジマダラメイガの捕虫割合及び放飼地点別のスジコナマダラメイガの捕虫割合を示す。図３０及び図３１において、横軸は放飼位置の誘引光の射出端（捕獲器１）からの距離を示し、縦軸は捕虫割合を示す。【０１７９】
図３０及び図３１に示すように、第１０の試験用捕獲器１ｊ及び第１１の試験用捕獲器１ｋの捕虫割合は、試験例５−１と同様に、放飼位置やマダラメイガ（スジマダラメイガ又はスジコナマダラメイガ）の種によらず、低い傾向が示された。一方で、第９の試験用捕獲器１ｉの捕虫割合は、試験例５−１と同様に、他の捕獲器と比較して高い。また、第９の試験用捕獲器１ｉの捕虫割合は、試験例５−１と同様に、捕獲器に近い試験例５−２に係る第１の放飼地点Ｒ１´で放飼されたマダラメイガ（スジマダラメイガ又はスジコナマダラメイガ）に対して、特に高い値を示している。【０１８０】
以上説明したように、試験例５に関する考察によれば、上述した要求射出特性を満たし、光源の高さより下側に案内経路を形成することができる捕獲器１は、マダラメイガ成虫の誘引及び捕獲に有効であると示された。また、第１の捕獲器は、行動抑制境界面の上側に行動抑制領域を形成し、広範囲のマダラメイガ成虫を誘引できる。ここで、マダラメイガは、少なくともチャマダラメイガ、ノシメマダラメイガ、スジマダラメイガ及びスジコナマダラメイガを含む。【０１８１】
［試験例６］
本試験例では、光源１１の放射した誘引光を絞り部１３によって狭角配光の誘引光として射出できる第２の実施形態に係る捕獲器１（第１２の試験用捕獲器１ｌ及び第１３の試験用捕獲器１ｍ）を用いて実施した捕獲試験について説明をする。【０１８２】
図３２は、本試験例で捕獲試験を実施した第２の試験領域Ａ２（倉庫）の構成を上方から見た平面図を示す。図３２に示すように、第２の試験領域Ａ２の奥行き（Ｘ方向）は３２ｍであり、床面積は約７４８ｍ２である。捕獲器１からＸ＋方向（誘引光の射出方向）に５ｍ離れた位置には、第４の放飼地点Ｒ４が設けられている。同様に、捕獲器１からＸ＋方向に１０ｍ、２０ｍ、３０ｍ離れた位置には、それぞれ、第５の放飼地点Ｒ５、第６の放飼地点Ｒ６、第７の放飼地点Ｒ７が設けられている。第４の放飼地点Ｒ４〜第７の放飼地点Ｒ７の各々の放飼地点は、捕獲器１のＹ＋側及びＹ−側の２か所に分かれて配置されている。第２の試験領域Ａ２のＸ−側の壁面には、捕獲器１がＸ＋方向に誘引光を射出可能に配置されている。第１２の試験用捕獲器１ｌ及び第１３の試験用捕獲器１ｍは、各々の捕獲器１の下端が床面に接するように配置されている。第２の試験領域Ａ２は、試験領域外から光の入射がない、空の倉庫である。【０１８３】
第１２の試験用捕獲器１ｌは、図３を参照して上述した第２の実施形態に係る捕獲器１の構成を有する。第１２の試験用捕獲器１ｌは、第４の光源１１ｄ（光源１１）及び第３の絞り部１３ｃ（絞り部１３、光学素子１２）を具備する光源部１０と、中央捕獲部２３を具備する捕獲部２０と、支持部材３０とを備える。【０１８４】
第１２の試験用捕獲器１ｌの備える第４の光源１１ｄは、中央捕獲部２３のＸ−側の中心近傍に配置されている。【０１８５】
第３の絞り部１３ｃ（絞り部１３）の開口部は、中央捕獲部２３の中心に配置されている。第３の絞り部１３ｃの開口部の形状は、略円形である。第３の絞り部１３ｃの開口部の面積は、３ｍｍ２である。【０１８６】
中央捕獲部２３の捕獲部材は、中央捕獲部２３のＸ＋側に配置されている。捕獲部材は、中心に開口部が設けられた５０ｃｍ角の交換可能な粘着紙である。【０１８７】
第１３の試験用捕獲器１ｍは、絞り部１３（光学素子１２）の形状及び大きさが異なること以外、第１２の試験用捕獲器１ｌと同じである。第１３の試験用捕獲器１ｍの第４の絞り部１３ｄ（絞り部１３）の開口部の形状は、１０ｍｍ角の略矩形である。第４の絞り部１３ｄの開口部の面積は、１００ｍｍ２である。【０１８８】
本試験で用いた供試虫は、雌雄各２００頭のチャマダラメイガである。供試虫は、それぞれ２か所ずつ設けられた第４の放飼地点Ｒ４、第５の放飼地点Ｒ５、第６の放飼地点Ｒ６又は第７の放飼地点Ｒ７から、雌雄各１００頭ずつ放飼される。【０１８９】
ここで、本試験の手順を説明する。まず、捕獲部２０に粘着紙を取り付けた。その後、供試虫２００頭を、各々の放飼地点から１００頭ずつ同時放飼した。放飼後、光源部１０に所定の放射強度で誘引光を射出させた。誘引光の射出を開始してから３日後（４日後）に粘着紙を回収し、粘着紙に捕獲された供試虫の頭数をカウントした。本試験は、誘引光の射出を開始してから３日後に捕虫数をカウントする試験と、誘引光の射出を開始してから４日後に捕虫数をカウントする試験とを行った。これらの手順を、第４の放飼地点Ｒ４〜第７の放飼地点Ｒ７の各放飼地点毎に、第１２の試験用捕獲器１ｌ及び第１３の試験用捕獲器１ｍのそれぞれに対して行った。【０１９０】
図３３に本試験の結果を示す。図３３は、開口部の面積が３ｍｍ２である第１２の試験用捕獲器１ｌによる捕虫割合と、開口部の面積が１００ｍｍ２である第１３の試験用捕獲器１ｍによる捕虫割合とを示す。図３３において、横軸は放飼位置の誘引光の射出端（捕獲器１）からの距離を示し、縦軸は捕虫割合を示す。【０１９１】
図３３に示すように、第１２の試験用捕獲器１ｌ及び第１３の試験用捕獲器１ｍの何れの捕獲器１を用いても、マダラメイガを捕獲できることが示された。また、捕虫割合は、捕獲器１に近い第１の放飼地点Ｒ１で放飼されたマダラメイガに対して、特に高い値を示している。【０１９２】
第１２の試験用捕獲器１ｌの捕虫割合と、第１３の試験用捕獲器１ｍの捕虫割合とを比較すると、絞り部１３の開口部の面積が大きい第１３の試験用捕獲器１ｍの捕虫割合の方が高いことも示された。これは、開口部の面積に基づく行動抑制領域の大きさ（誘引光の光量、放射強度）に起因するものであると推察できる。【０１９３】
以上のことから、本試験の結果は、上述の試験例の試験結果と同様に光源高さより下側（行動抑制境界面の下側）に案内経路を形成する捕獲器１の有用性に加え、大きい行動抑制領域によってマダラメイガ成虫に対する誘引性が高い捕獲器１の有用性をさらに示すものである。【０１９４】
［試験例７］
本試験では、狭角配光の誘引光の水平方向（Ｙ方向）の誘引性（捕虫割合）について検討する。【０１９５】
図３４は、第３の試験領域Ａ３（倉庫）の構成を上方から見た平面図を示す。第３の試験領域Ａ３として用いられた空間（倉庫）は、第２の試験領域Ａ２と同様である。具体的には、捕獲器１が配置されている第３の試験領域Ａ３のＸ−側の壁面は、第２の試験領域Ａ２のＹ−側の壁面である。捕獲器１から５ｍ離れた位置に、第８の放飼地点Ｒ８、第９の放飼地点Ｒ９及び第１０の放飼地点Ｒ１０が放射状に設けられている。第８の放飼地点Ｒ８は、捕獲器１のＸ＋方向（誘引光の射出方向）に、誘引光の射出端に正対するように配置されている。第９の放飼地点Ｒ９は、捕獲器１に対して、第８の放飼地点Ｒ８の位置から時計回りに＋４５°移動した位置に配置されている。第１０の放飼地点Ｒ１０は、捕獲器１に対して、第８の放飼地点から時計回りに−４５°移動した位置に配置されている。第３の試験領域Ａ３のＸ−側の壁面には、捕獲器１がＸ＋方向に誘引光を射出可能に配置されている。第３の試験領域Ａ３は、空の倉庫であり、試験領域外から光が入射しないように構成されている。【０１９６】
本試験例では、試験例５−１で用いた第９の試験用捕獲器１ｉと、第１０の試験用捕獲器１ｊとを用いて捕獲試験を実施した。【０１９７】
本試験で用いた供試虫は、雌雄各２０頭のチャマダラメイガ及びノシメマダラメイガである。供試虫は、第８の放飼地点Ｒ８、第９の放飼地点Ｒ９及び第１０の放飼地点Ｒ１０の各々の放飼地点から、チャマダラメイガ及びノシメマダラメイガの雌雄各２０頭ずつ放飼される。供試虫には、何れの放飼地点から放飼されたか判別できるように、マーキングが施されている。【０１９８】
ここで、本試験の手順を説明する。まず、捕獲部２０に粘着紙を取り付けた。その後、供試虫２４０頭を、各々の放飼地点から同時放飼した。放飼後、光源部１０に所定の放射強度で誘引光を射出させた。誘引光の射出を開始してから１０時間後に粘着紙を回収し、粘着紙に捕獲された供試虫の頭数をカウントした。これらの手順を、第９の試験用捕獲器１ｉと、第１０の試験用捕獲器１ｊとの各々の捕獲器毎に実施した。【０１９９】
図３５及び図３６に本試験の結果を示す。図３５及び図３６は、それぞれ、放飼位置に対するチャマダラメイガの捕虫割合と、放飼位置に対するノシメマダラメイガの捕虫割合とを示す。図３５及び図３６において、横軸は誘引光の射出端を基準とした誘引光の光軸に対する放飼位置の角度を示し、縦軸は捕虫割合を示す。【０２００】
図３５及び図３６に示すように、第９の試験用捕獲器１ｉの捕虫割合は、第１０の試験用捕獲器１ｊの捕虫割合より概ね高い値となっている。特に、誘引光の射出方向に位置する第８の放飼地点Ｒ８から放飼されたマダラメイガに対する捕虫割合は突出している。一方で、例えば第１０の放飼地点Ｒ１０における捕虫割合に見られるように、狭角配光の誘引光を射出する第９の試験用捕獲器１ｉの捕虫割合は、誘引光の射出方向から外れた位置のマダラメイガに対して低い。【０２０１】
すなわち、第９の試験用捕獲器１ｉは、第９の試験用捕獲器１ｉの形成する行動抑制領域ＳＡの下方（Ｚ−方向）又は前方（Ｘ＋方向）に位置するマダラメイガに対する誘引性は高い。一方で、第９の試験用捕獲器１ｉの形成する行動抑制領域ＳＡから水平方向（Ｙ方向）に外れた領域に位置するマダラメイガに対する誘引性は低い。【０２０２】
以上のことから、本試験の結果は、狭角配光の誘引光を水平方向に放射状に射出する捕獲器１の有用性を示すものである。すなわち、水平方向には広角配光であり、かつ、重力方向（Ｚ方向）には狭角配光である指向性を有する誘引光の有用性が示された。【０２０３】
［試験例８］
本試験例では、光源１１の放射した誘引光のうち、行動抑制境界面の下側へ向かう誘引光をＮＤフィルタによって減光して射出することで、非行動抑制領域及び案内経路を形成できる第１４の試験用捕獲器１ｎを用いた実施する捕獲試験について説明をする。【０２０４】
本試験例に係る試験領域は、図１３を参照して説明した第１の試験領域Ａ１である。本試験例に係る試験は、上述した第１の試験領域Ａ１のＸ−側の壁面に、Ｘ＋方向に誘引光を射出可能に第１４の試験用捕獲器１ｎ（捕獲器１）を配置して行った。第１４の試験用捕獲器１ｎは、光源高さが７０ｃｍとなる高さに配置されている。【０２０５】
第１４の試験用捕獲器１ｎは、図５を参照して上述した第３の実施形態に係る捕獲器１の構成を有する。第１４の試験用捕獲器１ｎの光源部１０は、図１に示すように、光源１１（第４の光源１１ｄ）と、減光部材１４（光学素子１２）とを備える。【０２０６】
光源部１０の第４の光源１１ｄ（光源１１）は、図１８を参照して説明した、紫外光（誘引光）を射出できる４Ｗの蛍光管である。第４の光源１１ｄによる計測位置ＭＰにおける光量子束密度[ｐｈｏｔｏｎｓ／ｍ２／ｓ]の値は、４２．３×１０１４であった。第４の光源１１ｄの放射する光線（誘引光）の指向特性は、第４の光源１１ｄが直管形の蛍光管であることから第４の光源１１ｄの周方向に同様（Ｚ方向に無指向性）である。【０２０７】
光源部１０の減光部材１４（光学素子１２）は、減光フィルタ（ＮＤシート、＃２１１０．９  ＮＤ  ６１０×６１０ｍｍ、ＬＦＥ  ＦＩＬＴＥＲ社製）である。図３７に、第４の光源１１ｄの当該減光フィルタ透過（通過）後の光線の分光分布を示す。図３７中に示すグラフは、縦軸が波長あたりの放射照度[μＷ／ｃｍ２／ｎｍ]であり、横軸が波長[ｎｍ]である。図３７に示す放射照度は、図２に示す計測位置ＭＰで計測された値である。誘引光の中心（ピーク）波長は、図１８を参照して上述した減光フィルタを用いない場合と同様である。減光フィルタ透過後の第４の光源１１ｄの誘引光による、計測位置ＭＰにおける光量子束密度[ｐｈｏｔｏｎｓ／ｍ２／ｓ]の値は、０．５×１０１４であった。【０２０８】
このように、減光部材１４は、減光部材１４の上側（Ｚ＋側）から入射した光線（誘引光）を９８％以上減光させる。したがって、第１４の試験用捕獲器１ｎを用いた試験においては、行動抑制光量以上の領域である行動抑制領域と、行動抑制光量未満の領域である非行動抑制領域との境界が減光部材１４であるから、減光部材１４の配置されている位置が行動抑制境界面である。【０２０９】
また、本試験例では、比較例として、同条件の下、第１５の試験用捕獲器１ｏを用いた試験を行った。第１５の試験用捕獲器１ｏは、減光部材１４を備えていないこと以外は、第１４の試験用捕獲器１ｎと同じである。【０２１０】
本試験で用いた供試虫は、雌雄各６０頭のチャマダラメイガ及びノシメマダラメイガである。供試虫は、第１の放飼地点Ｒ１、第２の放飼地点Ｒ２及び第３の放飼地点Ｒ３から、雌雄各２０頭ずつ放飼される。供試虫には、何れの放飼地点から放飼されたか判別できるように、マーキングが施されている。【０２１１】
ここで、本試験の手順を説明する。まず、捕獲部２０に粘着紙を取り付けた。その後、供試虫２４０頭を、各々の放飼地点から同時放飼した。放飼後、光源部１０に所定の放射強度で１０時間、誘引光を射出させた。誘引光の射出を開始してから１０時間後に粘着紙を回収し、粘着紙に捕獲された供試虫の頭数をカウントした。【０２１２】
図３８及び図３９に本試験の結果を示す。図３８及び図３９は、それぞれ、放飼地点別のチャマダラメイガの捕虫割合と、放飼地点別のノシメマダラメイガの捕虫割合とを示す。図３８及び図３９において、横軸は放飼位置の誘引光の射出端からの距離を示し、縦軸は捕虫割合を示す。図３８及び図３９に示すように、光源１１の高さより下側に案内経路を形成する第１４の試験用捕獲器１ｎの捕虫割合は、案内経路を形成しない第１５の試験用捕獲器１ｏの捕虫割合と比較して高い。【０２１３】
以上のことから、上述した要求射出特性は、減光部材１４（光学素子１２）を用いて実現されてもよいことが示された。また、行動抑制境界面の上側に行動抑制領域を形成し、下側に非行動抑制領域（案内経路）を形成することができる捕獲器１は、マダラメイガ成虫の捕獲に有効であると示された。【０２１４】
なお、本発明は、上記実施形態に限定されるものではなく、実施段階ではその要旨を逸脱しない範囲で種々に変形することが可能である。また、各実施例は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。【０２１５】
例えば、第１の変形例に係る技術は、第３の実施形態に係る捕獲器１に適用されてもよい。また、各々の試験用捕獲器の構成に、狭角配光に構成された光源１１が用いられてもよいし、各種の絞り部１３、減光部材１４等の光学素子１２が用いられてもよい。例えば、第３の試験例に係る試験用捕獲器の構成が、スリットの開口部の長手方向がＹ方向と略平行になる形態で用いられてもよい。例えば、Ｘ−Ｙ面に略水平に配置された減光部材１４のＺ＋側の面に光源１１が配置されて、Ｚ−側の面に捕獲部２０が配置される構成も考えられる。【０２１６】
上述の試験例では、チャマダラメイガ、ノシメマダラメイガ、スジマダラメイガ及びスジコナマダラメイガのうち少なくとも１種を試供虫として用いて試験を行った。しかしながら、これら試験で得られた知見は、試供虫として用いたマダラメイガに限らず、チャマダラメイガ、ノシメマダラメイガ、スジマダラメイガ及びスジコナマダラメイガを含む屋内性のマダラメイガ成虫に対する知見であると見做すことができる。もちろん、適切な行動抑制光量と、移動領域の形状や大きさとは、種によって異なり得る。一方で、床面の近くを移動した後に誘引光の射出端に向かって射出端の下側から飛翔するマダラメイガ成虫であり、行動抑制光量が定義できるマダラメイガ成虫であれば、上述の誘引方法、捕獲方法、光源装置及び捕獲器に係る技術が適用できる。
【符号の説明】
【０２１７】
１…捕獲器、１ａ…第１の試験用捕獲器、１ｂ…第２の試験用捕獲器、１ｃ…第３の試験用捕獲器、１ｄ…第４の試験用捕獲器、１ｅ…第５の試験用捕獲器、１ｆ…第６の試験用捕獲器、１ｇ…第７の試験用捕獲器、１ｈ…第８の試験用捕獲器、１ｉ…第９の試験用捕獲器、１ｊ…第１０の試験用捕獲器、１ｋ…第１１の試験用捕獲器、１ｌ…第１２の試験用捕獲器、１ｍ…第１３の試験用捕獲器、１ｎ…第１４の試験用捕獲器、１ｏ…第１５の試験用捕獲器、２…壁面、３…床面、１０…光源部、１１…光源、１１ａ…第１の光源、１１ｂ…第２の光源、１１ｃ…第３の光源、１１ｄ…第４の光源、１１ｅ…第５の光源、１１ｆ…第６の光源、１１ｇ…第７の光源、１２…光学素子、１３…絞り部、１３ａ…第１の絞り部、１３ｂ…第２の絞り部、１３ｃ…第３の絞り部、１３ｄ…第４の絞り部、１４…減光部材、２０…捕獲部、２１…下側捕獲部、２２…上側捕獲部、２３…中央捕獲部、２４…水平置き捕獲部、３０…支持部材、５０…照明装置。
【図１】
2019130698.tif 000003
【図２】
2019130698.tif 000004
【図３】
2019130698.tif 000005
【図４】
2019130698.tif 000006
【図５】
2019130698.tif 000007
【図６】
2019130698.tif 000008
【図７】
2019130698.tif 000009
【図８】
2019130698.tif 000010
【図９】
2019130698.tif 000011
【図１０】
2019130698.tif 000012
【図１１】
2019130698.tif 000013
【図１２】
2019130698.tif 000014
【図１３】
2019130698.tif 000015
【図１４】
2019130698.tif 000016
【図１５】
2019130698.tif 000017
【図１６】
2019130698.tif 000018
【図１７】
2019130698.tif 000019
【図１８】
2019130698.tif 000020
【図１９】
2019130698.tif 000021
【図２０】
2019130698.tif 000022
【図２１】
2019130698.tif 000023
【図２２】
2019130698.tif 000024
【図２３】
2019130698.tif 000025
【図２４】
2019130698.tif 000026
【図２５】
2019130698.tif 000027
【図２６】
2019130698.tif 000028
【図２７】
2019130698.tif 000029
【図２８】
2019130698.tif 000030
【図２９】
2019130698.tif 000031
【図３０】
2019130698.tif 000032
【図３１】
2019130698.tif 000033
【図３２】
2019130698.tif 000034
【図３３】
2019130698.tif 000035
【図３４】
2019130698.tif 000036
【図３５】
2019130698.tif 000037
【図３６】
2019130698.tif 000038
【図３７】
2019130698.tif 000039
【図３８】
2019130698.tif 000040
【図３９】
2019130698.tif 000041
【国際調査報告】
2019130698.tif 000042
2019130698.tif 000043
2019130698.tif 000044
2019130698.tif 000045